(57)【要約】【課題】  各放送局において，番組ごとに番組情報を作成又は登録する番組情報処理システム，番組登録端末装置等を提供する。【解決手段】  番組情報処理システムにおいて，番組登録端末装置は，入力受付部が受け付けた番組情報に基づき，番組表として構成させるための番組メタ情報を生成する番組メタ情報生成部と；番組メタ情報単位に，番組メタ情報の登録を番組情報管理装置に対して指示する登録指示部とを備え，番組情報管理装置は，番組メタ情報の登録の指示に従い，番組単位で番組メタ情報を登録する番組メタ情報登録部と；番組メタ情報を番組単位で記憶する番組メタ情報記憶部を備え，番組確認端末装置は，番組メタ情報を番組情報管理装置から取得する番組メタ情報取得部と；番組メタ情報について該番組メタ情報に関するステータス情報を更新し，番組表の構成を許可する番組表構成許可部とを備える。【選択図】    図１
2005167493.tif 000002
【特許請求の範囲】
【請求項１】
ネットワークに，番組に関する番組情報を管理する番組情報管理装置と，前記番組情報を登録するために該番組情報管理装置に送信する番組登録端末装置と，前記番組情報の確認をする番組確認端末装置とが接続される番組情報処理システムであって：
前記番組登録端末装置は，少なくとも自局の番組に関する前記番組情報の入力を受け付ける入力受付部と；
前記入力受付部が受け付けた番組情報に基づき，番組表として構成させるための番組メタ情報を生成する番組メタ情報生成部と；
前記番組メタ情報単位に，該番組メタ情報の登録を前記番組情報管理装置に対して指示する登録指示部と；
を備え，
前記番組情報管理装置は，前記番組登録端末装置からの前記番組メタ情報の登録の指示に従い，少なくとも番組単位で該番組メタ情報を登録する番組メタ情報登録部と；
登録された前記番組メタ情報を少なくとも番組単位で記憶する番組メタ情報記憶部と；
を備え，
前記番組確認端末装置は，前記番組メタ情報の表示要求を，少なくとも番組の放送日単位で受け付ける表示要求受付部と；
前記表示受付部が受け付けた番組メタ情報を前記番組情報管理装置から取得する番組メタ情報取得部と；
前記番組メタ情報について番組単位に，該番組メタ情報に関するステータス情報を更新し，番組表の構成を許可する番組表構成許可部と；
を備えることを特徴とする，番組情報処理システム。
【請求項２】
ネットワークを介して，双方向通信を行う通信部と；
少なくとも自局の番組に関する概略情報，詳細情報，または放送日時情報のうち少なくとも一つからなる番組情報の入力を受け付ける入力受付部と；
前記入力受付部が受け付けた番組情報に基づき，番組表として構成させるための番組メタ情報を生成する番組メタ情報生成部と；
番組単位に，前記番組メタ情報の登録を指示する登録指示部と；
を備えることを特徴とする，番組登録端末装置。
【請求項３】
前記番組メタ情報には，少なくともコンテンツメタ情報が関連付けられることを特徴とする，請求項２に記載の番組登録端末装置。
【請求項４】
前記番組登録端末装置は，さらに前記番組メタ情報に，１又は２以上の放送日時情報を付加する情報付加部を備えることを特徴とする，請求項２に記載の番組登録端末装置。
【請求項５】
前記情報付加部は，複数の前記放送日時情報を一括して，前記番組メタ情報に付加することを特徴とする，請求項４に記載の番組登録端末装置。
【請求項６】
前記放送日時情報には，番組の放送日に関する放送日情報及び／又は放送時間に関する放送時間情報が含まれることを特徴とする，請求項２に記載の番組登録端末装置。
【請求項７】
前記番組登録端末装置は，さらに表示部を備え；
前記表示部は，前記番組メタ情報を加工するための番組メタ情報加工画面を表示することを特徴とする，請求項２に記載の番組登録端末装置。
【請求項８】
前記表示部は，前記番組メタ情報加工画面とともに，前記放送日時情報を選択するための年月日画面を表示することを特徴とする，請求項７に記載の番組登録端末装置。
【請求項９】
前記情報付加部は，前記年月日画面に表示された複数の日時情報のうち，選択された日時情報を前記番組メタ情報加工画面に表示された番組メタ情報に放送日時情報として付加するための付加指示情報を生成することを特徴とする，請求項８に記載の番組登録端末装置。
【請求項１０】
前記付加指示情報は，少なくともコピー・アンド・ペースト，ドラッグ・アンド・ドロップ，またはカット・アンド・ペーストにより生成されることを特徴とする，請求項９に記載の番組登録端末装置。
【請求項１１】
前記情報付加部は，第１の番組に関する詳細情報を，第２の番組に関する詳細情報にコピーするためのコピー指示情報を生成することを特徴とする，請求項２に記載の番組登録端末装置。
【請求項１２】
前記コピー指示情報は，前記番組メタ情報加工画面に表示された第１の放送日時情報が第２の放送日時情報に少なくともコピー・アンド・ペースト，ドラッグ・アンド・ドロップ，またはカット・アンド・ペーストされることにより生成することを特徴とする，請求項１１に記載の番組登録端末装置。
【請求項１３】
前記登録指示部は，前記番組メタ情報の生成に連動し，該番組メタ情報の登録を指示することを特徴とする，請求項２に記載の番組登録端末装置。
【請求項１４】
少なくとも自局の番組に関する概略情報，詳細情報，または放送日時情報のうち少なくとも一つからなる番組情報の入力を受け付ける処理と；
前記入力受付部が受け付けた番組情報に基づき，番組表として構成させるための番組メタ情報を生成する処理と；
前記番組メタ情報単位に，該番組メタ情報の登録を指示する処理とが含まれる番組登録方法をコンピュータに実行させることを特徴とする，コンピュータプログラム。
【請求項１５】
少なくとも自局の番組に関する概略情報，詳細情報，または放送日時情報のうち少なくとも一つからなる番組情報の入力を受け付ける処理と；
前記入力受付部が受け付けた番組情報に基づき，番組表として構成させるための番組メタ情報を生成する処理と；
前記番組メタ情報単位に，該番組メタ情報の登録を指示する処理とが含まれる番組登録方法をコンピュータに実行させることを特徴とする，コンピュータプログラムが記録されたコンピュータ読み取り可能な記録媒体。
【請求項１６】
少なくとも自局の番組に関する概略情報，詳細情報，または放送日時情報のうち少なくとも一つからなる番組情報の入力を受け付けする入力受付処理と；
前記入力受付部が受け付けた番組情報に基づき，番組表として構成させるための番組メタ情報を生成する番組メタ情報生成処理と；
前記番組メタ情報単位に，該番組メタ情報の登録を指示する登録指示処理を含むことを特徴とする，番組登録方法。
【請求項１７】
前記番組メタ情報には，少なくともコンテンツメタ情報が関連付けられることを特徴とする，請求項１６に記載の番組登録方法。
【請求項１８】
前記番組登録方法には，前記番組メタ情報に，１又は２以上の放送日時情報を付加する情報付加処理が，さらに含まれることを特徴とする，請求項１６に記載の番組登録方法。
【請求項１９】
前記情報付加処理は，複数の前記放送日時情報を一括して，前記番組メタ情報に付加することを特徴とする，請求項１８に記載の番組登録方法。
【請求項２０】
前記放送日時情報には，番組の放送日に関する放送日情報及び／又は放送時間に関する放送時間情報が含まれることを特徴とする，請求項１６に記載の番組登録方法。
【請求項２１】
前記番組登録方法には，前記番組メタ情報を加工するための番組メタ情報加工画面を表示する画面表示処理が，さらに含まれることを特徴とする，請求項１６に記載の番組登録方法。
【請求項２２】
前記画面表示処理は，前記番組メタ情報加工画面とともに，前記放送日時情報を選択するための年月日画面を表示することを特徴とする，請求項２１に記載の番組登録方法。
【請求項２３】
前記情報付加処理は，前記年月日画面に表示された複数の日時情報のうち，選択された日時情報を前記番組メタ情報加工画面に表示された番組メタ情報に放送日時情報として付加するための付加指示情報を生成することを特徴とする，請求項２２に記載の番組登録方法。
【請求項２４】
前記付加指示情報は，少なくともコピー・アンド・ペースト，ドラッグ・アンド・ドロップ，またはカット・アンド・ペーストにより生成されることを特徴とする，請求項２３に記載の番組登録方法。
【請求項２５】
前記情報付加処理は，第１の番組に関する詳細情報を，第２の番組に関する詳細情報にコピーするためのコピー指示情報を生成することを特徴とする，請求項１６に記載の番組登録方法。
【請求項２６】
前記コピー指示情報は，前記番組メタ情報加工画面に表示された第１の放送日時情報が第２の放送日時情報に少なくともコピー・アンド・ペースト，ドラッグ・アンド・ドロップ，またはカット・アンド・ペーストされることにより生成することを特徴とする，請求項２５に記載の番組登録方法。
【請求項２７】
前記登録指示処理は，前記番組メタ情報の生成に連動し，該番組メタ情報の登録を指示することを特徴とする，請求項１６に記載の番組登録方法。
【請求項２８】
ネットワークを介して，双方向通信を行う通信部と；
外部端末装置から送信された番組メタ情報の登録を指示する登録指示情報に従い，少なくとも番組単位で該番組メタ情報を登録する番組メタ情報登録部と；
前記番組メタ情報を少なくとも番組単位で記憶する番組メタ情報記憶部と；
を備えることを特徴とする，番組情報管理装置。
【請求項２９】
前記番組メタ情報記憶部に格納された前記番組メタ情報には，番組に関連する少なくともコンテンツメタ情報が関連付けられることを特徴とする，請求項２８に記載の番組情報管理装置。
【請求項３０】
前記番組情報管理装置は，前記番組メタ情報記憶部に記憶された複数の番組メタ情報のうち，番組表として構成する複数の番組メタ情報を，少なくとも放送日ごとに一括して抽出する番組メタ情報抽出部を，さらに備えることを特徴とする，請求項２８に記載の番組情報管理装置。
【請求項３１】
前記番組メタ情報抽出部は，指定された放送日に放送される前記番組メタ情報を，番組単位で抽出することを特徴とする，請求項３０に記載の番組情報管理装置。
【請求項３２】
外部端末装置から送信された番組メタ情報の登録を指示する登録指示情報に従い，少なくとも番組単位で該番組メタ情報を登録する番組メタ情報登録処理と；
前記番組メタ情報を少なくとも番組単位で格納する番組メタ情報格納処理とが含まれる番組情報管理方法をコンピュータに実行させることを特徴とする，コンピュータプログラム。
【請求項３３】
外部端末装置から送信された番組メタ情報の登録を指示する登録指示情報に従い，少なくとも番組単位で該番組メタ情報を登録する番組メタ情報登録処理と；
前記番組メタ情報を少なくとも番組単位で格納する番組メタ情報格納処理とが含まれる番組情報管理方法をコンピュータに実行させることを特徴とする，コンピュータプログラムが記録されたコンピュータ読み取り可能な記録媒体。
【請求項３４】
外部端末装置から送信された番組メタ情報の登録を指示する登録指示情報に従い，少なくとも番組単位で該番組メタ情報を登録する番組メタ情報登録処理と；
前記番組メタ情報を少なくとも番組単位で格納する番組メタ情報格納処理と；
が含まれることを特徴とする，番組情報管理方法。
【請求項３５】
前記番組メタ情報格納処理で格納された前記番組メタ情報には，番組に関連するコンテンツメタ情報が関連付けられることを特徴とする，請求項３４に記載の番組情報管理方法。
【請求項３６】
前記番組情報管理方法には，前記番組メタ情報格納処理で格納された複数の番組メタ情報のうち，番組表として構成する複数の番組メタ情報を，少なくとも放送日ごとに一括して抽出する番組メタ情報抽出処理が，さらに含まれることを特徴とする，請求項３４に記載の番組情報管理方法。
【請求項３７】
前記番組メタ情報抽出処理は，指定された放送日に放送される前記番組メタ情報を，番組単位で抽出することを特徴とする，請求項３６に記載の番組情報管理方法。
【請求項３８】
ネットワークを介して，双方向通信を行う通信部と；
少なくとも番組に関する内容が含まれる各局の番組メタ情報の表示要求を，番組が放送する放送日単位で受け付ける表示要求受付部と；
前記表示要求受付部が受け付けた番組メタ情報を取得する番組メタ情報取得部と；
前記番組メタ情報について番組単位に，該番組メタ情報に関するステータス情報を更新し，番組表の構成を許可する番組表構成許可部と；
を備えることを特徴とする，番組確認端末装置。
【請求項３９】
前記番組メタ情報には，少なくとも番組に関連するコンテンツメタ情報が関連付けられることを特徴とする，請求項３８に記載の番組確認端末装置。
【請求項４０】
前記表示要求受付部は，前記番組メタ情報の表示要求を，番組単位で受け付けることを特徴とする，請求項３８に記載の番組確認端末装置。
【請求項４１】
前記番組確認端末装置は，さらに表示部を備え；
前記表示部は，前記番組単位で取得した番組メタ情報を，一覧表形式に表示することを特徴とする，請求項４０に記載お番組確認端末装置。
【請求項４２】
前記表示部は，前記番組メタ情報に含まれるステータス情報に応じて，前記番組メタ情報の表示を制御することを特徴とする，請求項３８に記載の番組確認端末装置。
【請求項４３】
前記ステータス情報は，前記番組メタ情報の番組表構成許可／不許可，前記番組メタ情報に関連付けられたコンテンツメタ情報の有無，または該コンテンツメタ情報の有効／無効のうち少なくとも一つであることを特徴とする，請求項３８に記載の番組確認端末装置。
【請求項４４】
前記ステータス情報に応じて，前記番組表の番組枠に表示される番組メタ情報の色，模様，または形状のうち少なくとも一つの表示が制御されることを特徴とする，請求項３８に記載の番組確認端末装置。
【請求項４５】
少なくとも番組に関する内容が含まれる各局の番組メタ情報の表示要求を，番組が放送する放送日単位で受け付ける表示要求受付処理と；
前記表示要求受付部が受け付けた番組メタ情報を取得する番組メタ情報取得処理と；
前記番組メタ情報について番組単位に，該番組メタ情報に関するステータス情報を更新し，番組表の構成を許可する番組表構成許可処理と；
が含まれることを特徴とする，番組確認方法。
【請求項４６】
前記番組メタ情報には，少なくとも番組に関連するコンテンツメタ情報が関連付けられることを特徴とする，請求項４５に記載の番組確認方法。
【請求項４７】
前記表示要求受付処理は，前記番組メタ情報の表示要求を，番組単位で受け付けることを特徴とする，請求項４５に記載の番組確認方法。
【請求項４８】
前記番組確認処理には，前記番組単位で取得した番組メタ情報を，一覧表形式に表示する一覧表示処理が，さらに含まれることを特徴とする，請求項４７に記載の番組確認方法。
【請求項４９】
前記一覧表示処理は，前記番組メタ情報に含まれるステータス情報に応じて，前記番組メタ情報の表示を制御することを特徴とする，請求項４５に記載の番組確認方法。
【請求項５０】
前記ステータス情報は，前記番組メタ情報の番組表構成許可／不許可，前記番組メタ情報に関連付けられたコンテンツメタ情報の有無，または該コンテンツメタ情報の有効／無効のうち少なくとも一つであることを特徴とする，請求項４５に記載の番組確認方法。
【請求項５１】
前記ステータス情報に応じて，前記番組表の番組枠に表示される番組メタ情報の色，模様，または形状のうち少なくとも一つの表示が制御されることを特徴とする，請求項４５に記載の番組確認方法。
【請求項５２】
少なくとも番組に関する内容が含まれる各局の番組メタ情報の表示要求を，番組が放送する放送日単位で受け付ける表示要求受付処理と；
前記表示要求受付部が受け付けた番組メタ情報を取得する番組メタ情報取得処理と；
前記番組メタ情報について番組単位に，該番組メタ情報に関するステータス情報を更新し，番組表の構成を許可する番組表構成許可処理とが含まれる番組確認方法をコンピュータに実行させることを特徴とする，コンピュータプログラム。
【請求項５３】
少なくとも番組に関する内容が含まれる各局の番組メタ情報の表示要求を，番組が放送する放送日単位で受け付ける表示要求受付処理と；
前記表示要求受付部が受け付けた番組メタ情報を取得する番組メタ情報取得処理と；
前記番組メタ情報について番組単位に，該番組メタ情報に関するステータス情報を更新し，番組表の構成を許可する番組表構成許可処理とが含まれる番組確認方法をコンピュータに実行させることを特徴とする，コンピュータプログラムが記録されたコンピュータ読み取り可能な記録媒体。
【発明の詳細な説明】
【技術分野】
【０００１】
本発明はネットワークに接続された番組情報処理システムに関する。
【背景技術】
【０００２】
従来，放送番組のほかに，ＥＰＧ情報からなる放送番組表または商品カタログ情報など番組に関連する様々なコンテンツを視聴者に提供する放送システムが存在する。視聴者は，表示画面に表示される番組を視聴しながら，上記番組に関連するコンテンツを取得したり，商品の購入などのサービスの提供を受けることができる。
【０００３】
上記ＥＰＧ情報を提供するために，各放送局からの所定日数分の編成情報等を含む番組情報を，ほぼ同じタイミングで一括して収集し，各放送局に共通番組情報を配信後，各放送局からＴＳパケット等に多重化することで，ＥＰＧ情報が送出される（例えば，特許文献１参照）。なお，本願発明に関連する技術文献情報には，次のものがある。
【０００４】
【特許文献１】特開２０００−２５２９２７号公報
【発明の開示】
【発明が解決しようとする課題】
【０００５】
しかしながら，各放送局からの番組情報をまとめて収集し，統合された共通番組情報を配信する必要があるため，各放送局の番組情報を作成，登録するスケジュールには柔軟性が無く，作成された複数の番組情報のうち，一部の番組の番組情報を登録し，残りの番組情報を修正するなど，放送局ごとに都合の良いように番組情報の作成，登録するタイミングを決定することは困難であった。
【０００６】
本発明は，上記問題点に鑑みてなされたものであり，本発明の目的は，各放送局において，番組ごとに番組情報を作成又は登録することが可能な，新規かつ改良された番組情報処理システム，番組登録端末装置を提供することである。
【課題を解決するための手段】
【０００７】
上記課題を解決するため，本発明の第１の観点によれば，ネットワークに，番組に関する番組情報を管理する番組情報管理装置と，番組情報を登録するために該番組情報管理装置に送信する番組登録端末装置と，番組情報の確認をする番組確認端末装置とが接続される番組情報処理システムが提供される。上記番組情報処理システムにおいて，番組登録端末装置は，少なくとも自局の番組に関する番組情報の入力を受け付ける入力受付部と；入力受付部が受け付けた番組情報に基づき，番組表として構成させるための番組メタ情報を生成する番組メタ情報生成部と；番組メタ情報単位に，該番組メタ情報の登録を番組情報管理装置に対して指示する登録指示部とを備え，番組情報管理装置は，番組登録端末装置からの番組メタ情報の登録の指示に従い，少なくとも番組単位で該番組メタ情報を登録する番組メタ情報登録部と；登録された番組メタ情報を少なくとも番組単位で記憶する番組メタ情報記憶部とを備え，番組確認端末装置は，番組メタ情報の表示要求を，少なくとも番組の放送日単位で受け付ける表示要求受付部と；表示受付部が受け付けた番組メタ情報を番組情報管理装置から取得する番組メタ情報取得部と；番組メタ情報について番組単位に，該番組メタ情報に関するステータス情報を更新し，番組表の構成を許可する番組表構成許可部とを備えることを特徴としている。
【０００８】
本発明によれば，番組情報処理システムでは，放送番組を登録する際，番組登録端末装置に番組情報を番組ごとに入力され，番組メタ情報を番組ごとに生成する。生成された番組メタ情報は，番組情報管理装置において番組単位で管理され，番組確認端末装置から番組表の構成が許可されると，該当する番組メタ情報が抽出され，番組表として統合される。かかる構成により，各局の放送日ごと等，複数の番組情報を一括して管理せず，個別に番組情報を管理しているため，他の番組情報の作成や登録などに左右されず，各番組単独で番組情報の作成などの処理を最適なタイミングで実行できる。
【０００９】
上記課題を解決するために，本発明の別の観点によれば，番組登録端末装置が提供される。上記番組登録端末装置は，ネットワークを介して，双方向通信を行う通信部と；少なくとも自局の番組に関する概略情報，詳細情報，または放送日時情報のうち少なくとも一つからなる番組情報の入力を受け付ける入力受付部と；入力受付部が受け付けた番組情報に基づき，番組表として構成させるための番組メタ情報を生成する番組メタ情報生成部と；番組単位に，番組メタ情報の登録を指示する登録指示部とを備えることを特徴としている。
【００１０】
本発明によれば，番組登録端末装置は，番組ごとに番組情報の入力を受け付けて，受け付けられた番組情報から番組メタ情報を生成する。さらに番組登録端末装置は，番組メタ情報を番組単位で登録するよう指示する。かかる構成により，番組単位で番組メタ情報を生成することで，個別に番組メタ情報を効率的にアクセス，コピー，または編集することができる。
【００１１】
番組メタ情報には，少なくともコンテンツメタ情報が関連付けられるように構成してもよい。かかる構成により，番組メタ情報から関連性の高いコンテンツに容易にアクセスすることができる。なお，コンテンツメタ情報に限らず，他の番組メタ情報が関連付けられる場合でもよい。
【００１２】
番組登録端末装置は，さらに番組メタ情報に，１又は２以上の放送日時情報を付加する情報付加部を備えるように構成してもよい。かかる構成により，放送日時情報を独立して管理し，適当なタイミングで番組の放送日時を決定し，番組メタ情報に付加することができる。
【００１３】
情報付加部は，複数の放送日時情報を一括して，番組メタ情報に付加するように構成してもよい。かかる構成により，再放送，連続番組などの複数回放送される番組において，既存の番組メタ情報に効率的に放送日時情報を付加し，登録することができる。
【００１４】
放送日時情報には，番組の放送日に関する放送日情報及び／又は放送時間に関する放送時間情報が含まれるように構成してもよい。
【００１５】
番組登録端末装置は，さらに表示部を備え；上記表示部は，番組メタ情報を加工するための番組メタ情報加工画面を表示するように構成してもよい。かかる構成により，複数の番組に係る共通となる概要情報や，詳細情報，放送日時情報などの情報を番組メタ情報加工画面に表示することで，複数の番組に関する情報を一元的に管理し，訂正，追加などの編集処理の効率が向上化される。特に，再放送，連続番組など，各番組で類似性の高い番組が複数存在する場合等は，編集処理の効率が飛躍的に向上する。
【００１６】
表示部は，番組メタ情報加工画面とともに，放送日時情報を選択するための年月日画面を表示するように構成してもよい。
【００１７】
情報付加部は，年月日画面に表示された複数の日時情報のうち，選択された日時情報を番組メタ情報加工画面に表示された番組メタ情報に放送日時情報として付加するための付加指示情報を生成するように構成してもよい。かかる構成により，特段の指示を要せずに，視認性の高い年月日画面から，番組メタ情報加工画面に放送日時情報を直感的，効率的に付加することができる。
【００１８】
付加指示情報は，少なくともコピー・アンド・ペースト，ドラッグ・アンド・ドロップ，またはカット・アンド・ペーストにより生成されるように構成してもよい。かかる構成により，初心者問わずどんな利用者でも簡易な操作で，付加指示情報を生成し，放送日時情報を追加できる。
【００１９】
コピー・アンド・ペースト，ドラッグ・アンド・ドロップ，またはカット・アンド・ペーストは，年月日表示画面の表示された日付が，番組メタ情報加工画面の放送日時情報が表示された領域に少なくとも移動するように構成してもよい。
【００２０】
情報付加部は，第１の番組に関する詳細情報を，第２の番組に関する詳細情報にコピーするためのコピー指示情報を生成するように構成してもよい。かかる構成により，一旦作成した詳細情報を，改めて最初から作成しなくとも，過去の詳細情報を効率的に活用することで，詳細情報の作成に費やされる処理負担を軽減し，作成時間を短縮できる。
【００２１】
コピー指示情報は，番組メタ情報加工画面に表示された第１の放送日時情報が第２の放送日時情報に少なくともコピー・アンド・ペースト，ドラッグ・アンド・ドロップ，またはカット・アンド・ペーストされることにより自動的に生成するよう構成することができる。かかる構成により，初心者問わずどんな利用者でも簡易な操作で，コピー指示情報を生成し，詳細情報をコピーできる。
【００２２】
登録指示部は，番組メタ情報の生成に連動し，該番組メタ情報の登録を指示するように構成することができる。かかる構成により，番組情報から番組メタ情報が生成されると，それに連動して，リアルタイムに番組メタ情報を登録または更新することができる。
【００２３】
登録指示部は，指定された登録先に，番組メタ情報を送信するように構成することができる。
【００２４】
番組登録端末装置は，登録の指示された番組メタ情報を番組単位に記録及び保持する番組メタ情報蓄積部を，さらに備えるように構成してもよい。かかる構成により，ネットワークを介した情報の送受信量を軽減することで，トラフィックを軽減しつつ，番組メタ情報の登録処理効率を向上させることができる。
【００２５】
また，上記課題を解決するため，本発明の別の観点によれば，コンピュータプログラムが提供される。上記コンピュータプログラムは，少なくとも自局の番組に関する概略情報，詳細情報，または放送日時情報のうち少なくとも一つからなる番組情報の入力を受け付ける処理と；入力受付部が受け付けた番組情報に基づき，番組表として構成させるための番組メタ情報を生成する処理と；番組メタ情報単位に，該番組メタ情報の登録を指示する処理とが含まれる番組登録方法をコンピュータに実行させることを特徴としている。
【００２６】
また，上記課題を解決するため，本発明の別の観点によれば，コンピュータプログラムが記録されたコンピュータ読み取り可能な記録媒体が提供される。上記記録媒体は，記録されたコンピュータプログラムによって，少なくとも自局の番組に関する概略情報，詳細情報，または放送日時情報のうち少なくとも一つからなる番組情報の入力を受け付ける処理と；入力受付部が受け付けた番組情報に基づき，番組表として構成させるための番組メタ情報を生成する処理と；番組メタ情報単位に，該番組メタ情報の登録を指示する処理とが含まれる番組登録方法をコンピュータに実行させることを特徴としている。
【００２７】
また，上記課題を解決するため，本発明の別の観点によれば，番組登録方法が提供され，上記番組登録方法は，少なくとも自局の番組に関する概略情報，詳細情報，または放送日時情報のうち少なくとも一つからなる番組情報の入力を受け付けする入力受付処理と；入力受付部が受け付けた番組情報に基づき，番組表として構成させるための番組メタ情報を生成する番組メタ情報生成処理と；番組メタ情報単位に，該番組メタ情報の登録を指示する登録指示処理を含むことを特徴としている。
【００２８】
番組メタ情報には，少なくともコンテンツメタ情報が関連付けられるように構成してもよい。
【００２９】
番組登録方法には，番組メタ情報に，１又は２以上の放送日時情報を付加する情報付加処理が，さらに含まれるように構成してもよい。
【００３０】
情報付加処理は，複数の放送日時情報を一括して，番組メタ情報に付加するように構成してもよい。
【００３１】
放送日時情報には，番組の放送日に関する放送日情報及び／又は放送時間に関する放送時間情報が含まれるように構成してもよい。
【００３２】
番組登録方法には，番組メタ情報を加工するための番組メタ情報加工画面を表示する画面表示処理が，さらに含まれるように構成してもよい。
【００３３】
画面表示処理は，番組メタ情報加工画面とともに，放送日時情報を選択するための年月日画面を表示するように構成してもよい。
【００３４】
情報付加処理は，前記年月日画面に表示された複数の日時情報のうち，選択された日時情報を前記番組メタ情報加工画面に表示された番組メタ情報に放送日時情報として付加するための付加指示情報を生成するように構成してもよい。
【００３５】
付加指示情報は，少なくともコピー・アンド・ペースト，ドラッグ・アンド・ドロップ，またはカット・アンド・ペーストにより生成するように構成してもよい。
【００３６】
情報付加処理は，第１の番組に関する詳細情報を，第２の番組に関する詳細情報にコピーするためのコピー指示情報を生成するように構成してもよい。
【００３７】
コピー指示情報は，番組メタ情報加工画面に表示された第１の放送日時情報が第２の放送日時情報に少なくともコピー・アンド・ペースト，ドラッグ・アンド・ドロップ，またはカット・アンド・ペーストされることにより生成するように構成してもよい。
【００３８】
登録指示処理は，番組メタ情報の生成に連動し，該番組メタ情報の登録を指示するように構成してもよい。
【００３９】
また，上記課題を解決するため，本発明の別の観点によれば，番組登録端末装置が提供される。上記番組登録端末装置は，ネットワークを介して，サーバと双方向通信を行う通信部と；少なくともユーザからのアクセスに応じて，放送番組の番組登録指示処理，放送日時付加指示処理を少なくとも実行するための各処理ソフトが記憶された記憶部と；少なくとも指示又は情報を入れるための入力部と；ユーザによる入力部の操作に従い，処理ソフトを用いて，少なくとも自局の番組に関する番組情報の入力を受け付ける入力受付部と；入力受付部からの番組情報を受信し，処理ソフトを用いて，番組単位で番組メタ情報を生成する番組メタ情報生成部と；ユーザによる入力部の操作に基づき，処理ソフトを用いて，番組メタ情報単位に，該番組メタ情報を登録するよう外部装置に指示する登録指示部と；を備えることを特徴としている。
【００４０】
また，上記課題を解決するため，本発明の別の観点によれば，番組管理装置が提供される。上記番組管理装置は，ネットワークを介して，双方向通信を行う通信部と；外部端末装置から送信された番組メタ情報の登録を指示する登録指示情報に従い，少なくとも番組単位で該番組メタ情報を登録する番組メタ情報登録部と；番組メタ情報を少なくとも番組単位で記憶する番組メタ情報記憶部とを備えることを特徴としている。
【００４１】
本発明によれば，番組管理装置は，ネットワークを介して伝送される登録指示情報に従い，番組メタ情報を番組ごとに番組メタ情報記録部に記憶し，管理する。かかる構成により，番組単位で，登録された番組メタ情報に含まれる内容について，追加または削除などの編集処理を，他の番組メタ情報に左右されず，所望のタイミングで実行することができる。
【００４２】
番組メタ情報記憶部に格納された前記番組メタ情報には，番組に関連する少なくともコンテンツメタ情報が関連付けられるように構成してもよい。
【００４３】
コンテンツメタ情報には，コンテンツ実体にアクセスするためのリンク情報が含まれるように構成してもよい。かかる構成により，コンテンツメタ情報から，ダイレクトに目的とするコンテンツ実体にアクセスできる。
【００４４】
番組情報管理装置は，番組メタ情報記憶部に記憶された複数の番組メタ情報のうち，番組表として構成する複数の番組メタ情報を，少なくとも放送日ごとに一括して抽出する番組メタ情報抽出部を，さらに備えるように構成してもよい。かかる構成により，指定された放送日に放送される番組の一覧表を，効率的に作成することができる。
【００４５】
番組メタ情報抽出部は，所定の放送日に放送される番組メタ情報を，番組単位で抽出するように構成してもよい。かかる構成により，１の番組に関する番組メタ情報だけを個別にダイレクトで抽出することができ，訂正，追加などの編集目的とする番組メタ情報を検索する処理などの効率化を図れる。
【００４６】
上記課題を解決するために，本発明の別の観点によれば，番組管理装置が提供される。上記番組管理装置は，ネットワークを介して，外部端末装置と双方向通信を行う通信部と；少なくとも外部端末装置からの要求に応じ，放送番組の番組登録処理，または放送日時の付加処理の各処理ソフトが少なくとも記憶された記憶部と；指示又は情報を入れるための入力部と；外部端末装置からの送信された番組メタ情報を，処理ソフトを用いて，登録する番組メタ情報登録部と；登録された番組メタ情報を少なくとも番組単位で記憶する番組メタ情報記憶部と；番組メタ情報記憶部に記憶された番組メタ情報のうち，番組表として構成する番組メタ情報を各局ごと放送日単位で抽出する番組メタ情報抽出部とを備えることを特徴としている。
【００４７】
上記課題を解決するために，本発明の別の観点によれば，コンピュータプログラムが提供される。上記コンピュータプログラムは，番組外部端末装置から送信された番組メタ情報の登録を指示する登録指示情報に従い，少なくとも番組単位で該番組メタ情報を登録する番組メタ情報登録処理と；番組メタ情報を少なくとも番組単位で格納する番組メタ情報格納処理とが含まれる番組情報管理方法をコンピュータに実行させることを特徴としている。
【００４８】
上記課題を解決するために，本発明の別の観点によれば，コンピュータプログラムが記録されたコンピュータ読み取り可能な記録媒体が提供される。上記記録媒体は，コンピュータプログラムによって，外部端末装置から送信された番組メタ情報の登録を指示する登録指示情報に従い，少なくとも番組単位で該番組メタ情報を登録する番組メタ情報登録処理と；番組メタ情報を少なくとも番組単位で格納する番組メタ情報格納処理とが含まれる番組情報管理方法をコンピュータに実行させることを特徴としている。
【００４９】
上記課題を解決するために，本発明の別の観点によれば，番組情報管理方法が提供される。上記番組情報管理方法は，外部端末装置から送信された番組メタ情報の登録を指示する登録指示情報に従い，少なくとも番組単位で該番組メタ情報を登録する番組メタ情報登録処理と；番組メタ情報を少なくとも番組単位で格納する番組メタ情報格納処理とが含まれることを特徴としている。
【００５０】
番組メタ情報格納処理で格納された番組メタ情報には，番組に関連するコンテンツメタ情報が関連付けられるように構成してもよい。
【００５１】
番組情報管理方法には，番組メタ情報格納処理で格納された複数の番組メタ情報のうち，番組表として構成する複数の番組メタ情報を，少なくとも放送日ごとに一括して抽出する番組メタ情報抽出処理が，さらに含まれるように構成してもよい。
【００５２】
番組メタ情報抽出処理は，指定された放送日に放送される番組メタ情報を，番組単位で抽出するように構成してもよい。
【００５３】
また，上記課題を解決するため，本発明の別の観点によれば，ネットワークを介して，双方向通信を行う通信部と；少なくとも番組に関する内容が含まれる各局の番組メタ情報の表示要求を，番組が放送する放送日単位で受け付ける表示要求受付部と；表示要求受付部が受け付けた番組メタ情報を取得する番組メタ情報取得部と；番組メタ情報について番組単位に，該番組メタ情報に関するステータス情報を更新し，番組表の構成を許可する番組表構成許可部とを備えることを特徴としている。
【００５４】
本発明によれば，番組確認端末装置は，番組が放送する放送日単位で少なくとも日にちが指定されると，１又は２以上の番組メタ情報を取得し，番組表に構成させうる番組メタ情報についてはステータス情報を更新する。かかる構成により，サービス提供の対象となる番組表に構成する複数の番組メタ情報を一括して取得し，迅速かつ効率的に上記番組メタ情報について番組表の構成を許可することができる。
【００５５】
番組メタ情報には，少なくとも番組に関連するコンテンツメタ情報が関連付けられるように構成してもよい。番組メタ情報を一覧表形式に画面に表示することで，一度に複数の番組メタ情報の内容を把握することができ，番組表の構成を許可する許可処理の効率化を図れる。
【００５６】
表示要求受付部は，番組メタ情報の表示要求を，番組単位で受け付けるように構成してもよい。
【００５７】
番組確認端末装置は，さらに表示部を備え；上記表示部は，番組単位で取得した番組メタ情報を，一覧表形式に表示するように構成してもよい。
【００５８】
表示部は，番組メタ情報に含まれるステータス情報に応じて，番組メタ情報の表示を制御するように構成してもよい。かかる構成により，表示された１又は２以上の番組メタ情報のステータス情報を，容易に視認し，構成許可処理の効率性が向上される。
【００５９】
ステータス情報は，番組メタ情報の番組表構成許可／不許可，番組メタ情報に関連付けられたコンテンツメタ情報の有無，または該コンテンツメタ情報の有効性のうち少なくとも一つであるように構成することができる。
【００６０】
ステータス情報に応じて，番組表の番組枠に表示される指標または番組メタ情報の色，模様，もしくは形状のうち少なくとも一つの表示が制御されるように構成することができる。
【００６１】
また，上記課題を解決するために，本発明の別の観点によれば，番組確認方法が提供される。上記番組確認方法は，少なくとも番組に関する内容が含まれる各局の番組メタ情報の表示要求を，番組が放送する放送日単位で受け付ける表示要求受付処理と；表示要求受付部が受け付けた番組メタ情報を取得する番組メタ情報取得処理と；番組メタ情報について番組単位に，該番組メタ情報に関するステータス情報を更新し，番組表の構成を許可する番組表構成許可処理とが含まれることを特徴としている。
【００６２】
表示要求受付処理は，前記番組メタ情報の表示要求を，番組単位で受け付けるように構成してもよい。
【００６３】
番組確認処理には，番組単位で取得した番組メタ情報を，一覧表形式に表示する一覧表示処理が，さらに含まれるように構成してもよい。
【００６４】
一覧表示処理は，番組メタ情報に含まれるステータス情報に応じて，番組メタ情報の表示を制御するように構成してもよい。
【００６５】
ステータス情報は，番組メタ情報の番組表構成許可／不許可，番組メタ情報に関連付けられたコンテンツメタ情報の有無，または該コンテンツメタ情報の有効／無効のうち少なくとも一つであるように構成してもよい。
【００６６】
ステータス情報に応じて，番組表の番組枠に表示される指標または番組メタ情報の色，模様，もしくは形状のうち少なくとも一つの表示が制御されるように構成してもよい。
【００６７】
また，上記課題を解決するために，本発明の別の観点によれば，コンピュータプログラムが提供される。上記コンピュータプログラムは，少なくとも番組に関する内容が含まれる各局の番組メタ情報の表示要求を，番組が放送する放送日単位で受け付ける表示要求受付処理と；表示要求受付部が受け付けた番組メタ情報を取得する番組メタ情報取得処理と；番組メタ情報について番組単位に，該番組メタ情報に関するステータス情報を更新し，番組表の構成を許可する番組表構成許可処理とが含まれる番組確認方法をコンピュータに実行させることを特徴としている。
【００６８】
上記課題を解決するために，本発明の別の観点によればコンピュータプログラムが記録されたコンピュータ読み取り可能な記録媒体が提供される。上記記録媒体は，上記コンピュータプログラムにより，少なくとも番組に関する内容が含まれる各局の番組メタ情報の表示要求を，番組が放送する放送日単位で受け付ける表示要求受付処理と；表示要求受付部が受け付けた番組メタ情報を取得する番組メタ情報取得処理と；番組メタ情報について番組単位に，該番組メタ情報に関するステータス情報を更新し，番組表の構成を許可する番組表構成許可処理とが含まれる番組確認方法をコンピュータに実行させることを特徴としている。
【発明の効果】
【００６９】
以上説明したように，本発明によれば，各放送局において，番組ごとに番組情報を作成し，登録することができるため，各番組の番組情報を作成，登録するスケジュールについて柔軟に対応することが可能であり，過去の番組情報を繰り返し活用する際に，番組情報を効率的に検索することが可能となる。
【発明を実施するための最良の形態】
【００７０】
以下，本発明の好適な実施の形態について，添付図面を参照しながら詳細に説明する。なお，以下の説明及び添付図面において，略同一の機能及び構成を有する構成要素については，同一符号を付することにより，重複説明を省略する。
【００７１】
（１．番組情報処理システム）
まず，図１を参照しながら，本実施の形態にかかる番組情報処理システム１００について説明する。図１は，本実施の形態にかかる番組情報処理システムの概略的な構成を示すブロック図である。
【００７２】
まず図１に示すように，本実施の形態にかかる番組情報処理システム１００は，一般ユーザ１０１，放送局１０２，コンテンツ提供会社１０４，および企画会社１０５から少なくとも構成されている。
【００７３】
企画会社１０５は，番組情報処理システム１００のプラットフォームを提供する企業である。さらに企画会社１０５は，番組情報処理システム１００のサービスを利用する顧客管理や，コンテンツ実体の売買による決済もする。
【００７４】
次に，コンテンツ提供会社１０４は，多種多様なコンテンツの実体を制作，管理，または提供する企業である。なお，コンテンツ提供会社１０４は，コンテンツ実体に係るコンテンツメタ情報等も同様に管理または提供等する。
【００７５】
上記コンテンツ実体は，少なくとも商品，プログラム，パッケージ，サービス，静止画データ，動画データ，音楽データ，またはテキストのうち少なくとも一つから構成されるコンテンツそのものである。
【００７６】
コンテンツメタ情報は，コンテンツ実体についてコンテンツ実体の内容を表わすデータである。つまりコンテンツメタ情報には，コンテンツ実体の内容が記述されている。なお，コンテンツメタ情報については，後程詳述する。
【００７７】
図１に示すように，一般ユーザ１０４には，一般ユーザが使用する１又は２以上の利用者端末装置１０７（１０７ａ，１０７ｂ，…，１０７ｎ）が存在する。また放送局１０２には，地上波アナログ放送局１０９ａ，ＢＳデジタル放送局１０９ｂ，１２４度／１２８度のＣＳ（Ｃｏｍｍｕｎｉｃａｔｉｏｎ  Ｓａｔｅｌｌｉｔｅ）デジタル放送局１０９ｃ，…，地上波デジタル放送局１０９ｎと，複数の放送局１０９が備わっている。
【００７８】
放送局１０２は，例えば，放送波などの電波をアップリンクまたはダウンリンクすることで，番組を利用者に伝送する。また，利用者から伝送された番組を視聴した分の料金等の徴収を行う。
【００７９】
上記利用者端末装置１０７が，一般ユーザにより操作されることで，一般ユーザは，本実施の形態にかかる番組情報処理システム１００が提供するサービスを利用することができる。一般ユーザ１０４に対して，番組情報処理システム１００が提供するサービスは，例えば，利用者端末装置１０７の表示部２４７に表示される番組表の番組情報をもとに予約指示を行ったり，番組に関連した商品（コンテンツ実体）の購入をすることができる。なお，番組情報とは，広義では番組に関する情報の総称であり，狭義では番組の登録時に必要な情報である。したがって，番組メタ情報も，番組に関する情報の一つである。
【００８０】
放送局１０９には，上述の通り，チャンネルごとに，番組を放送するための放送設備が備わる。放送局１０９の放送形態として，地上波アナログ放送，ＢＳデジタル放送などが存在する。
【００８１】
番組を放送するには，番組に関する情報を予め放送日時の所定期間前に登録する必要があるが，各放送局１０９には，番組に関する情報を登録するための番組登録端末装置１２９（１２９ａ，１２９ｂ，１２９ｃ…，１２９ｎ）が備わる。番組登録端末装置１２９による登録処理によって，番組単位に登録することができる。なお，上記番組登録端末装置１２９については，後程詳述する。
【００８２】
上記番組登録端末装置１２９が，放送局関係者（放送局ユーザ）により操作されることで，番組登録端末装置１２９は，放送番組の番組に関する情報を登録するよう指示することができる。上記番組に関する情報を番組単位で登録することで，登録された番組単位に番組情報を編集したり，一般ユーザ１０１またはコンテンツ提供会社１０４に番組情報を提供し，放送番組の宣伝と番組情報を活用したビジネスを展開し，コンテンツ実体の販売・手数料の徴収を行うことができる。
【００８３】
さらに，コンテンツ提供会社１０４には，１又は２以上のコンテンツ提供端末装置１１３（１１３ａ，１１３ｂ，…，１１３ｎ）が備わっている。上記コンテンツ提供端末装置１１３は，制作されたコンテンツ実体またはコンテンツメタ情報を，ネットワーク１０３を介して企画会社１０５に送信する。なお，コンテンツ提供端末装置１１３の詳細については後述する。
【００８４】
上記コンテンツ提供端末装置１１３が，コンテンツ提供関係者（コンテンツユーザ）によって操作されることで，コンテンツ提供端末装置１１３は，企画会社が保有する番組情報又は番組メタ情報に関連するコンテンツメタ情報や，コンテンツ実体を登録することができる。上記登録により，番組情報にはコンテンツメタ情報が関連付けられ，番組情報を提供すると共にコンテンツメタ情報を一般ユーザ１０１に提供し，コンテンツ実体等を販売等することができる。
【００８５】
また，図１に示すように，企画会社１０５には，サービス提供装置１１１が備わる。上記サービス提供装置１１１は，上述の放送局１０９，コンテンツ提供端末装置１１３，および利用者端末１０７とネットワーク１０３を介して，接続されている。
【００８６】
上記サービス提供装置１１１は，番組情報処理システム１００のサービスを提供するための各工程を管理し，さらに各放送局１０９から送信される番組メタ情報等をＤＢ管理している。なお，本実施の形態にかかるサービス提供装置１１１は，企画会社１０５には，１つである場合を例に挙げて説明したが，かかる例に限定されず，複数台から構成される場合であっても実施可能である。また，本実施の形態にかかるサービス提供装置１１１は，番組メタ情報を管理する番組情報管理装置などに該当する。
【００８７】
さらに，サービス提供装置１１１にネットワーク接続する番組確認端末装置１２１が企画会社１０５に備わる。企画ユーザは番組確認端末装置１２１を操作することで，サービス提供装置１１１にアクセスし，例えば登録された番組メタ情報がサービス提供可能な状態であるか否かを確認している。なお，本実施の形態にかかる番組確認端末装置１２１は，企画会社１０５内のＬＡＮ等の内部ネットワークによりサービス提供装置１１１と接続する場合を例に挙げて説明しているが，かかる例に限定されず，例えば，番組確認端末装置１２１は，企画会社１０５の外部に配置され，インターネットＶＰＮ，専用回線などのネットワークでサービス提供装置１１１と接続する場合等でもよい。
【００８８】
アクセスとは，例えば，システムの利用，サーバへの接続，ファイルの参照，ファイルの保存，ファイルの削除，またはファイルの変更など，ネットワーク１０３を介して情報を処理する情報処理を総称していう。
【００８９】
サービス提供装置１１１は，ネットワーク１０３に接続された利用者端末１０７または番組登録支援端末装置等からの要求に応じて，番組の登録や，番組表等の提供等のサービスを提供する。なお，本実施の形態にかかるサービス提供装置１１１は，例えば，クライアント／サーバシステムのサーバに相当するが，かかる例に限定されず，中央管理システム等に備わる汎用機等の場合でもよい。
【００９０】
また，本実施の形態にかかる番組表は，ＥＰＧ（Ｅｌｅｃｔｒｏｎｉｃ  Ｐｒｏｇｒａｍ  Ｇｕｉｄｅ：電子番組表）またはＥＣＧ（Ｅｌｅｃｔｒｉｃ  Ｃｏｎｔｅｎｔ  Ｇｕｉｄｅ  ，電子コンテンツ表）等からなることを例示できるが，かかる例に限定されない。後程，番組表については詳述する。
【００９１】
ネットワーク１０３（１０３ａ，１０３ｂ，１０３ｃ）は，放送局１０９（１０９ａ，１０９ｂ，…，１０９ｎ），コンテンツ提供端末装置１０４（１０４ａ，１０４ｂ，…，１０４ｎ）と，サービス提供装置１０５とにそれぞれ双方向通信可能なように接続される。
【００９２】
また，本実施の形態にかかるサービス提供装置１０５は，放送局１０２（１０２ａ，１０２ｂ，１０２ｃ，…，１０２ｎ）に，それぞれ備わる場合でもよく，放送局１０２（１０２ａ，１０２ｂ，１０２ｃ，１０２ｄ，…，１０２ｎ）が１つのサービス提供装置１０５を共有して利用する場合等でもよい。
【００９３】
また，図１には図示してないが，本実施の形態にかかる番組情報処理システム１００には，１又は２以上の委託放送事業者と，１又は２以上のＥＰＧサービス提供装置（図示せず。）とがさらに含まれてもよい。
【００９４】
委託放送事業者は，チャンネルを提供する企業であり，番組の制作や，番組の編成・送出もする。例えば，委託放送事業者は，例えば，番組供給会社（番供）などを例示することができる。
【００９５】
本実施の形態にかかる番組情報処理システム１００では，最下流工程に位置する一般ユーザ１０１に対するサービスとして，番組情報提供サービスとして企画会社１０４に備わるサービス提供装置１０５が，一般ユーザ１０１の利用者端末装置１０７に，例えばＥＰＧまたはＥＣＧなどの放送番組表を提供するサービスがある。利用者端末装置１０７は，当該番組表を介して番組情報などの情報を獲得することができる。
【００９６】
なお，本実施の形態にかかるサービス提供装置１０５は，放送番組表に含まれる番組情報を提供する場合を例に挙げて説明したが，編成が存在，またはタイムテーブルなど時間の概念が存在すれば，かかる例に限定されない。例えば，放送番組表の代わりに，ラジオ番組表などの場合であっても実施可能である。
【００９７】
なお，上記ＥＰＧサービス提供装置（図示せず。）からも利用者端末装置１０７にＥＰＧを提供するが，ＥＰＧの番組情報を利用者端末装置１０７に提供することに限定される点で，上記サービス提供装置１０５とは相違する。
【００９８】
また，上記放送番組表（番組表）には，１又は２以上の番組メタ情報を含む様々な情報から構成される。後程詳述するが，放送日・放送時刻等の所定のレイアウトに従って，複数の番組メタ情報等が表示部に表示されることで，全体の番組表を構成することができる。
【００９９】
利用者端末装置１０７は放送番組表を表示し，一般ユーザからの操作で，放送番組表に表示される番組の番組メタ情報が選択されると，番組メタ情報に関連するコンテンツメタ情報を表示／検索し，コンテンツ実体をアクセスすることができる。
【０１００】
さらに利用者端末装置１０７は，取得したコンテンツ実体を表示部２４７の表示画面内の表示領域に表示することを可能とする。なお，コンテンツ実体等は，例えば，放送番組表に含まれる番組メタ情報の階層下にひも付けされる。
【０１０１】
（１．１  番組情報処理システムの運用手法）
上記説明したように，本実施の形態にかかる番組情報処理システム１００は，一般ユーザ１０１に番組表を提供することができる。上記番組表を提供するためには，放送局１０１またはコンテンツ提供会社１０４から番組メタ情報等の様々な情報を企画会社１０５のサービス提供装置１１１に登録する必要がある。
【０１０２】
ここで，図２を参照しながら，一般ユーザに対するサービス提供までについて，本実施の形態にかかる番組情報処理システム１００の運用について説明する。図２は，本実施の形態にかかる番組情報処理システム１００の運用の概略を説明するための説明図である。
【０１０３】
図２に示すように，本実施の形態にかかる番組情報処理システム１００の運用では，まず処理工程１において，番組の登録が行われる。番組の登録は，各放送局１０２の放送局ユーザの編成会議等により，番組の編成が行われて決定した番組に関する情報を登録することをいう。
【０１０４】
したがって，図２に示す処理工程１における番組を登録する対象となるユーザは，番組提供者（放送局関係者）である。上記放送局関係者（放送局ユーザ）は，番組登録端末装置１２９を操作する。放送局ユーザによる操作で，番組登録端末装置１２９は，番組単位で番組を登録することができる。なお，番組の登録処理については，後程後述する。
【０１０５】
なお，上記番組登録とは，番組に関する情報をデータベース（ＤＢ）に格納することである。また，番組に関する情報は，例えば，番組メタ情報などを例示することができるが，かかる例に限定されない。
【０１０６】
番組の登録をする際には，図２に示すように，放送局ユーザは，番組登録端末装置１２９に各人のＩＤおよびパスワードを，入力部２０７を用いて，入力する。したがって認証されない場合，当該放送局ユーザは，番組の登録等をすることができない。なお，各自にＩＤおよびパスワードが予め付与される場合を例に挙げて説明するが，かかる例に限定されず，各人が自由に使用できる場合でもよい。さらに，認証後，ユーザが使用する処理に応じて課金をする場合であっても実施可能である。
【０１０７】
上記番組の登録する際に，番組登録端末装置１２９は，番組登録端末装置１２９に備わる記憶部１２９に記憶された処理ソフト（番組設定アプリケーション）を活用して，番組をサービス提供装置１１１に登録している。具体的には，番組設定アプリケーションは，番組メタ情報を生成し，番組メタ情報を登録するよう指示する為に，通信部２１５を介して，番組メタ情報を送信させる。なお，詳細については後述する。
【０１０８】
次に，番組の登録が済むと，処理工程２では，サービス提供装置１１１に登録された番組メタ情報にコンテンツメタ情報を関連付ける処理が行われる。コンテンツメタ情報を関連付けると，指定された番組メタ情報にコンテンツメタ情報が関連付けられる。なお，上記番組メタ情報に関連付け可能なのは，コンテンツメタ情報の他に，コンテンツ実体，他の番組メタ情報などを例示することができる。
【０１０９】
処理工程２における番組メタ情報にコンテンツメタ情報等の登録処理の対象となるユーザは，コンテンツ提供会社１０４のコンテンツユーザである。上記コンテンツユーザが，各自のＩＤおよびパスワードをコンテンツ提供端末装置１１３に入力する。コンテンツユーザは，適当な番組の番組メタ情報について関連付けをすることができる。なお，関連付け可能な対象番組は全局であるが，かかる例に限定されず，認証するコンテンツユーザごとに放送局を制限してもよい。
【０１１０】
上記番組メタ情報にコンテンツメタ情報の関連付け処理時には，コンテンツ提供端末装置１１３は，コンテンツ提供端末装置１１３に備わる記憶部に記憶された処理ソフト（関連付け設定アプリケーション）を活用して，番組メタ情報にコンテンツメタ情報等を関連付けている。
【０１１１】
なお，登録された番組メタ情報に他の番組メタ情報を関連付ける際には，コンテンツユーザには処理権限がなく，処理可能な対象ユーザは，放送局ユーザとなる。番組メタ情報と番組メタ情報との関連付けは，基本的には，自局の登録された番組に限られるものとするが，かかる場合以外にも，例えば，複数の放送局で連携して制作された番組間またはコンテンツ間の関連付けの場合，上記複数の放送局に属している放送局ユーザは，連携して制作された番組であれば，例えば，他局の番組メタ情報等を自局の番組メタ情報等に関連付けることができる。
【０１１２】
次に，番組メタ情報とコンテンツメタ情報等の関連付け処理が行われると，処理工程３では，各局の放送局ユーザは，番組登録端末装置１２９を用いて，上記コンテンツ提供端末装置１１３により関連付けられた番組メタ情報およびコンテンツメタ情報の確認する処理が行われる。
【０１１３】
放送局ユーザの上記番組登録端末装置１２９に対する操作により，番組登録端末装置１２９に備わる表示部２１１には，放送日が指定された確認用の番組表が表示される。番組表の番組枠には，登録された番組メタ情報又は未登録のままの番組枠等が表示される。
【０１１４】
放送局ユーザは，上記登録済の番組メタ情報をチェックしたり，番組メタ情報に関連付けられたコンテンツメタ情報が存在する場合，番組に見合う適切なコンテンツメタ情報が関連付けられているか等を確認する。なお，番組表が表示された画面または番組の確認処理等については，後程詳述する。
【０１１５】
放送局ユーザは，表示部２１１に表示された番組表から番組メタ情報またはコンテンツメタ情報等を確認すると，放送局ユーザは番組登録端末装置１２９に対して操作することで，番組登録端末装置１２９は，サービス提供装置１１１に確認処理終了を通知する。
【０１１６】
上記番組メタ情報又はコンテンツメタ情報等の確認処理時には，番組登録端末装置１２９は，番組登録端末装置１２９に備わる記憶部に記憶された処理ソフト（番組設定アプリケーション）を活用して，番組表を受信し，表示部に番組表を表示等している。
【０１１７】
上記確認処理後，各局の放送番組にかかる番組メタ情報等は，当該番組の放送時間に間に合うように，予め指定された日時に，順次抽出されることで，番組表データの生成処理が行われる。例えば，夜間にバッチ処理で一括して番組表データを生成したり，一般ユーザの利用者端末装置１０９からの要求に応じて番組表データを生成等する。
【０１１８】
次に，処理工程４では，一般ユーザに番組表等のサービスを提供する前の事前整備処理が行われる。上記事前整備処理の実行可能な対象ユーザは，企画会社１０５に属する企画ユーザである。
【０１１９】
企画ユーザは，番組確認端末装置１２１に各自のＩＤおよびパスワードを入力し，認証を受ける必要がある。認証を受けると，企画ユーザは，番組確認端末装置１２１に放送日時を指定すると，番組確認端末装置１２１は，サービス提供装置１１１にアクセスし，指定した放送日時に放送予定の番組の番組メタ情報等を受信する。
【０１２０】
さらに，企画ユーザの番組確認端末装置１２１に対する操作により，番組確認端末装置１２１は，番組メタ情報等を整備するためディスプレイに相当する表示部２２１に，例えば番組メタ情報等を番組表等の形式に表示する。
【０１２１】
表示部２２１には，番組表に割当てられた番組枠に番組メタ情報が表示され，企画ユーザは，例えば，放送局ユーザによって最終確認されたか否かを確認等する。さらに企画ユーザは，番組確認端末装置１２１を操作することで，番組確認端末装置１２１は，確認後の番組メタ情報について番組表の構成を許可するため，ステータス情報を更新する。ステータス情報は，番組の登録／未登録，各番組の番組メタ情報に関する最終確認の有無や，関連付けられたコンテンツメタ情報の有無等の状態を示す。なお，詳細については後述する。
【０１２２】
なお，上記番組確認端末装置１２１で行われる処理は，番組確認端末装置１２１に備わる記憶部２３５に記憶された処理ソフト（サービス管理アプリケーション）を活用することで，更新処理や，表示処理などが行われる。
【０１２３】
次に，各番組の番組メタ情報をパーツとして，番組表の組み立てが許可されると，処理工程５において，指定された期日に従い一般ユーザ１０１の利用者端末装置１０９に，番組表データの提供を開始する。なお，処理工程４において組み立てられた番組表は，サービス提供装置１１１からＷＷＷサーバ（図示せず。）に伝送され，当該ＷＷＷサーバから各利用者端末装置１０９に番組表データが送信される。上記ＷＷＷサーバには，番組表等のデータをＢＭＬ又はＨＴＭＬ等の形式で送信するための処理ソフト（配信アプリケーション）が記憶されている。
【０１２４】
最終工程である一般ユーザ１０１の利用者端末装置１０９に番組表データが配信されると，利用者端末装置１０９の表示部には，番組表を表示することができる。さらに表示された番組表のなかから，利用者端末装置１０９によって，所望の番組の内容が表示された番組メタ情報に関連するコンテンツメタ情報がアクセスされるたびに，課金することもできる。
【０１２５】
ここで，図３〜図６を参照しながら，番組表が提供されることで，本実施の形態にかかる利用者端末装置１０７の表示部に表示されるサービス提供画面について説明する。なお，上記番組表は，ＥＣＧの場合を例に挙げて説明するが，かかる例に限定されず，ＥＰＧの場合であってもよい。図３〜図６は，本実施の形態にかかる利用者端末装置１０７の表示部に表示されるサービス提供画面の概略を説明するための説明図である。
【０１２６】
図３に示すように，本実施の形態にかかる利用者端末装置１０７の表示画面上には，第１表示領域と，第２表示領域が１画面内に収まるように表示されている。
【０１２７】
第１表示領域には，ＥＣＧからなる番組表が表示されている。なお，図３に示す番組表は，放送局が“Ａ局”〜“Ｃ局”の時間帯“１９時”〜“２１時”の番組だけが第１表示領域に表示されているが，“▲”等の形状のスクロールアイコンを入力部により選択することで，他の放送局の番組，他の時間帯の番組が表示される。
【０１２８】
番組表に割当てられた番組枠には，番組メタ情報に含まれる概要情報等が表示される。例えば，放送局“Ａ局”の“１９時００”からの番組枠には，タイトルが“ニュース７”と記述された概要情報が表示されている。
【０１２９】
なお，本実施の形態にかかる第１表示領域には，ＥＣＧからなる番組表が表示される場合を例に挙げて説明するが，かかる例に限定されず，例えば，第１表示領域にラジオ番組の番組表等が表示される場合でも実施可能である。
【０１３０】
また，第２表示領域には，何も表示されず空欄の状態である。第１表示領域に表示される番組表のうち，各番組枠の領域に，例えばマウスのポインタ等を合わせることで，第２表示領域には，当該番組に紐づく各種番組の詳細情報等が表示される。
【０１３１】
第１表示領域等の領域に番組に関連する詳細情報，コンテンツメタ情報等がある場合，各番組枠内には，アイコン６００が表示されている。アイコン６００は，複数のカテゴリに分類されて表示される。したがって，入力部によりアイコン６００が選択されると，アイコン６００のカテゴリに応じて，上記カテゴリに属する詳細情報が第２表示領域等に表示される。
【０１３２】
なお，本実施の形態にかかるアイコンは，番組ごとに対応付けられているカテゴリを象徴する表示形態であれば，アイコンであることに限定されない。例えば，リンクがはられたテキストや，シンボル，指標等の場合であっても実施可能である。
【０１３３】
また，番組枠内には，“予約”の記載がされた「予約」アイコンが表示されている。上記「予約」アイコンは，番組を録画予約する場合に用いられる。クリックすると，自動的に番組録画装置に予約情報が送信され，時間通りに番組を録画することができる。
【０１３４】
次に，図４に示すように，放送局“Ａ局”の“２０時００分”から放送される番組「武蔵」の枠内には，５種のカテゴリからなるアイコン６００が表示されている。アイコン６００−１のカテゴリは，「番組の内容」であり，例えば，前回に放送された番組内容や，次回放送予定の番組内容などが該当する。
【０１３５】
アイコン６００−１がマウス等の入力部により選択されると，図４に示すように，第２表示領域には，番組「武蔵」に関連付けられた番組の内容を示す詳細情報またはコンテンツメタ情報が表示される。
【０１３６】
番組「武蔵」と図４に示す第２表示領域に表示される番組内容のコンテンツメタ情報とは，親子の関係である。番組「武蔵」が親情報であり，番組内容のコンテンツメタ情報又は詳細情報が子情報となる。したがって，番組「武蔵」の階層下には，子情報の１つとして番組に関連するコンテンツメタ情報が属する。なお，上記メタ情報の階層は，番組メタ情報の階層下にコンテンツメタ情報が属するのは，もちろん，番組メタ情報の階層下に他の番組メタ情報が属する場合も可能である。さらに番組メタ情報の階層下には複数の階層が存在してもよい。
【０１３７】
次に，図５に示すように，放送局“Ａ局”の“２０時００分”から放送される番組「武蔵」の枠内に表示されるアイコン６００−２のカテゴリは，「出演者」であり，例えば，番組に出演している出演者の氏名一覧などが該当する。
【０１３８】
アイコン６００−１がマウス等の入力部（図示せず。）により選択されると，図５に示すように，第２表示領域には，番組「武蔵」に関連付けられた出演者の氏名一覧等を示すコンテンツメタ情報が表示される。
【０１３９】
第２表示領域に表示される各出演者の氏名が表示された項目６０３−１〜項目６０３−８を，入力部などにより選択すると，第１表示領域または第２表示領域が縮小され，新規に第３表示領域が割当てられて，選択された項目６０３に関連付けられるコンテンツメタ情報等が表示される。
【０１４０】
次に，図５に示す項目６０３−２が選択されると，図６に示すように，第２表示領域に表示されるポインタ６０２が指す“お通”の項目は，アクティブ状態となり色が反転する。
【０１４１】
さらに，図６に示すように，第１表示領域が縮小され，新たに第３表示領域が割当てられて，上記第３表示領域には，第２表示領域において選択された“お通”に関連付けられたコンテンツメタ情報が表示される。
【０１４２】
第３表示領域には，アイコン６００−３，アイコン６００−４等のアイコン６００が表示されている。例えば，アイコン６００−３，アイコン６００−４は，出演者“お通”である“倉涼子”が作曲した「ＣＤ１」，「ＣＤ２」をクリックすれば購入可能なようにアイコン表示されている。
【０１４３】
同様に，アイコン６００−５，アイコン６００−６は，出演者“お通”である“倉涼子”が執筆した「書籍１」，「書籍２」をクリックすれば購入可能なようにアイコン表示されている。
【０１４４】
（２．  番組情報処理システム１００の各構成要素）
次に，図１，図７〜図１１を参照しながら，本実施の形態にかかる番組情報処理システム１００を構成する各構成要素の構成について説明する。
【０１４５】
（２．１  ネットワーク１０３）
ネットワーク１０３は，番組登録端末装置１２９（１２９ａ，１２９ｂ，…，１２９ｎ）と，利用者端末装置１０７（１０７ａ，１０７ｂ，…，１０７ｎ）と，コンテンツ提供端末装置１１３（１１３ａ，１１３ｂ，…，１１３ｎ）を相互に双方向通信可能に接続するものであり，典型的にはＡＤＳＬ（Ａｓｙｍｍｅｔｒｉｃ  Ｄｉｇｉｔａｌ  Ｓｕｂｓｃｒｉｂｅｒ  Ｌｉｎｅ）またはＦＴＴＨ（Ｆｉｂｅｒ  Ｔｏ  Ｔｈｅ  Ｈｏｍｅ）などそれに類する方法で接続するインターネットなどの公衆回線網であるが，ＷＡＮ，ＬＡＮ，ＩＰ−ＶＰＮなどの閉鎖回線網も含む。また接続媒体は，ＦＤＤＩ（Ｆｉｂｅｒ  Ｄｉｓｔｒｉｂｕｔｅｄ  Ｄａｔａ  Ｉｎｔｅｒｆａｃｅ）などによる光ファイバケーブル，Ｅｔｈｅｒｎｅｔ（登録商標）による同軸ケーブル又はツイストペアケーブル，もしくはＩＥＥＥ８０２．１１ｂなどによる無線など，有線無線を問わず，衛星通信網なども含む。
【０１４６】
ＥＰＧ又はＥＣＧ等の番組表は，番組メタ情報を含み，さらに番組表として構成させるための構造情報等を有する。番組表は，ネットワーク１０３を介して送信される場合は，例えば，ＨＴＭＬ（Ｈｙｐｅｒ  Ｔｅｘｔ  Ｍａｒｋｕｐ  Ｌａｎｇｕａｇｅ）又はＸＭＬなどの形式で配信され，放送波により送出される場合には，例えば，ＳＩ（Ｓｅｒｖｉｃｅ  Ｉｎｆｏｍａｔｉｏｎ）などの形式で送出される。
【０１４７】
なお，図１に示すように，サービス提供装置などが備わる企画会社１０５と利用者端末装置１０７が備わる一般ユーザ１０１とを結ぶネットワーク１０３ｂが，放送波の場合でもよく，放送波によって，番組表などのデータが利用者端末装置１０７に送出されてもよい。したがって，利用者端末装置１０７にはアンテナ（図示せず。）を備える必要がある。
【０１４８】
（２．２  番組登録端末装置１２９）
まず，図７を参照しながら，本実施の形態にかかる番組登録端末装置１２９について説明する。図７は，本実施の形態にかかる番組登録端末装置の概略的な構成を示すブロック図である。
【０１４９】
なお，本実施の形態にかかる番組登録端末装置１２９は，デスクトップ型パーソナルコンピュータ（デスクトップ型パソコン），ノート型パソコン，ワークステーション，ＰＤＡ，または携帯電話などを例示することができる。
【０１５０】
図７に示すように，本実施の形態にかかる番組登録端末装置１２９は，記憶部２０１，制御部２０３，入力受付部２０５，入力部２０７，登録指示部２０９，表示部２１１，番組メタ情報生成部２１３，通信部２１５，情報付加部２１７，および番組メタ情報蓄積部２１９が備わっている。
【０１５１】
上記番組登録端末装置１２９に備わる記憶部２０１，制御部２０３，入力受付部２０５，入力部２０７，登録指示部２０９，表示部２１１，番組メタ情報生成部２１３，通信部２１５，情報付加部２１７，および番組メタ情報蓄積部２１９の各部は，各種バスにより接続され，相互に様々なデータ・情報を伝送している。
【０１５２】
また，本実施の形態にかかる制御部２０３と，入力受付部２０５，登録指示部２０９，表示部２１１，番組メタ情報生成部２１３，情報付加部２１７，番組メタ情報蓄積部２１９の各部とは別体の場合を例に挙げて説明したが，かかる例に限定されず，例えば，制御部２０３に，入力受付部２０５，登録指示部２０９，表示部２１１，番組メタ情報生成部２１３，情報付加部２１７，または番組メタ情報蓄積部２１９のうち少なくとも一つを一体的に備えた場合であっても実施可能である。
【０１５３】
記憶部２０１は，番組メタ情報など各種データを読書きし，番組メタ情報等のデータを格納可能なデバイスである。例えば，記憶部２０１は，ハードディスク（ＨＤ），ＣＤ−ＲＯＭ（ＣＤ−Ｒｅａｄ  Ｏｎｌｙ  Ｍｅｍｏｒｙ），ＤＶＤ−Ｒ（ＤＶＤ−Ｒｅｃｏｒｄａｂｌｅ），ＤＶＤ−ＲＯＭ等を例示することができ，さらにＲＡＭ，またはＥＥＰＲＯＭなどのメモリを例示することができる。なお，本実施の形態にかかる記憶部２０１は，番組登録端末装置１２９に備えられる場合を例に挙げて説明したが，かかる例に限定されず，記憶部２０１は，番組登録端末装置１２９と外部接続する構成を採用しても実施可能である。
【０１５４】
表示部２１１は，番組情報を入力するための番組情報入力画面や，番組メタ情報を削除，追加等の編集するための番組メタ情報加工画面など，表示部２１１に表示可能な画面等を表示する。
【０１５５】
表示部２１１は，例えば，ＣＲＴ（Ｃａｔｈｏｄｅ  Ｒａｙ  Ｔｕｂｅ）ディスプレイ又は液晶ディスプレイなどを例示することができ，動画像のほか，静止画像，またはテキストなどを表示し，さらに音声などを出力することも可能である。
【０１５６】
入力部２０７は，使用者から操作指示を受けることが可能なマウス，トラックボール，トラックパッド，スタイラスペン，またはジョイスティックなどのポインティングデバイスや，キーボードなどからなるが，かかる例に限定されない。
【０１５７】
放送局ユーザ等の各ユーザは，上記入力部２０７に備わるボタン，十字キー等をクリックしたり，押下など操作することで，番組登録端末装置１２９に番組メタ情報の生成処理などを指示・命令することができる。
【０１５８】
制御部２０３は，番組登録端末装置１２９に備わる各部の処理・命令等を制御する。また，番組設定アプリケーション等，記憶部２０１に記憶されたソフトウェアを起動させて，各所定処理を行うよう各部に指示／命令する。例えば，入力受付部２０５に番組メタ情報を受信するよう指示または受信処理の制御等している。なお，本実施の形態にかかる制御部２０３は，例えば，ＣＰＵ（中央演算処理装置）等に該当するが，かかる例に限定されない。
【０１５９】
通信部２０４は，ネットワーク１０３と接続され，ネットワークにデータを送信又はネットワークからデータを受信する。なお，本実施の形態にかかる通信部２０４は，特に動画像などのコンテンツデータ等については，エンコーダ（図示せず。）又はデコーダ（図示せず。）を少なくとも備え，圧縮符号化し，データ送信してもよく，または，圧縮符号化されたコンテンツデータを受信し，デコードしてもよい。
【０１６０】
入力受付部２０５は，放送局ユーザが入力部２０７を操作することで入力された情報を受信，獲得する。受信された情報は，入力受付部２０５が適当な制御部等の各部に伝送する。例えば，放送局ユーザが入力部２０７を介して，番組情報が入力されると，入力受付部２０５が受信し，当該番組情報を番組メタ情報生成部２１３等に送信する。
【０１６１】
番組メタ情報生成部２１３は，番組情報を受信すると，当該番組情報に基づき番組メタ情報を生成する。番組メタ情報生成部２１３は，番組情報から必要部分を抽出し，番組メタ情報の構造に適合するようにＸＭＬ（ｅＸｔｅｎｓｉｂｌｅ  Ｍａｒｋｕｐ  Ｌａｎｇｕａｇｅ）などのデータ形式で，番組メタ情報を生成する。なお，本実施の形態にかかる番組メタ情報生成部２１３は，番組ごとに番組情報を受信し，番組単位で番組メタ情報を１ファイル等として，生成するが，かかる例に限定されず，例えば，複数の番組の番組情報を一括して受信し，複数番組の番組メタ情報を１つのファイルで生成する場合等でもよい。
【０１６２】
さらに，本実施の形態にかかる番組メタ情報生成部２１３は，番組情報から番組メタ情報を生成する場合を例に挙げて説明したが，かかる例に限定されない。例えば，番組メタ情報生成部２１３は，番組メタ情報を生成せず，登録指示部２０９が上記番組情報を通信部２１５を介して，サービス提供装置１１１に送信する場合であってもよい。なお上記の場合，サービス提供装置１１１に番組メタ情報生成部２１３が備わることが必要とされる。
【０１６３】
番組メタ情報生成部２１３により生成された番組メタ情報をサービス提供装置１１１に登録する場合，登録指示部２０９は，入力部２０７からの指示で選択された登録対象の番組メタ情報を登録する旨の登録指示情報を通信部２１５に伝送する。上記番組メタ情報を登録する旨の登録指示情報は，通信部２１５により，ネットワーク１０３を介して，サービス提供装置１１１に送信される。登録機関として登録先の企画会社１０５の選定は，例えば予めサービス提供装置１１１のＩＰアドレスなどを番組登録端末装置１２９の記憶部２０１に環境情報として記憶することによって特定できる。
【０１６４】
登録指示部２０９は，入力部２０７から番組単位で番組メタ情報の登録の指示を受け，番組単位で番組メタ情報を生成し，上記番組メタ情報を通信部２１５に伝送する。なお，登録指示部２０９は，番組単位で番組メタ情報を生成する場合を例に挙げて説明するが，かかる例に限定されず，複数の番組を１組にしたグループ単位の場合でも実施可能である。
【０１６５】
情報付加部２１７は，表示部２１１又は入力部２０７等と連携し，番組メタ情報等に情報を付加する。例えば，情報付加部２１７は，放送局ユーザが入力部２０７を操作して入力した情報または付加指示情報や，コピー指示情報に応じて，番組メタ情報に情報を付加する。
【０１６６】
なお，番組メタ情報に効率的に情報を付加することを目的とした付加指示情報またはコピー指示情報は，表示部２１１に番組メタ情報加工画面表示時，入力部２０７の操作によって生成されるが，詳細は後程述べる。
【０１６７】
最後に，番組メタ情報蓄積部２１９は，番組メタ情報生成部２１３によって生成された番組メタ情報を記憶部２０１に割当てられた番組メタ情報ＤＢに格納，または登録指示部２０９からの要求に応じて，番組メタ情報を読み出す。
【０１６８】
次に，記憶部２０１に記憶されたソフトウェア等について説明すると，上記記憶部２０１には，ＯＳ（オペレーション・システム）と，番組設定アプリケーションと，利用アプリケーションと，ＤＢシステム，番組メタ情報ＤＢとが，予めインストールなどによって記憶領域が割当てられ所定の領域に記憶されている。
【０１６９】
上記番組設定アプリケーションは，番組情報の入力処理から番組メタ情報の登録処理までの各処理をするために必要なモジュールを有する。例えば，番組設定アプリケーションは，入力受付部２０５が番組情報を受信するために必要な番組情報を受信するモジュール，番組メタ情報生成部２１３が番組メタ情報を生成するために必要な番組メタ情報生成モジュール，情報付加部２１７が番組メタ情報に情報を付加するために必要な情報付加モジュール，登録指示部２０９が番組メタ情報の登録を指示するために必要な指示情報生成モジュールなどを有する。
【０１７０】
なお，本実施の形態にかかる番組設定アプリケーションは，複数のモジュールから構成される場合を例に挙げて説明したが，かかる例に限定されず，モジュールを構成しない１つのプログラムからなる場合でもよい。
【０１７１】
したがって，番組設定アプリケーションに含むモジュールは，必要に応じて呼び出され，所定の処理が実行される。例えば，制御部２１９から入力受付部２０５に番組情報を獲得するよう命令があると，入力受付部２０５は，記憶部２０１に記憶された番組設定アプリケーションの番組情報受信モジュールを呼び出し，番組情報の受信処理を行う。
【０１７２】
利用アプリケーションは，一般ユーザが使用する利用者端末装置１０７にインストールされた利用アプリケーションと同様であり，サービス提供対象の番組表を処理する場合に使用するソフトウェアである。
【０１７３】
利用アプリケーションは，複数のモジュールから構成され，サービス提供装置１１１から番組表を受信し，表示部に番組表を表示したり，必要に応じて，コンテンツメタ情報を要求または表示等の各処理を実行するためのモジュールから構成される。
【０１７４】
なお，サービス提供装置１１１と番組登録端末装置１２９との間をアクセスするため，利用アプリケーションは，ＷＷＷ（Ｗｏｒｌｄ  Ｗｉｄｅ  Ｗｅｂ）ブラウザなどの閲覧ソフトと同等の機能も有する。したがって，サービス提供装置１１１から送信されるデータは，ＷＷＷブラウザ機能により，表示部２０４に表示される。
【０１７５】
ＤＢシステムは，各種のＤＢにデータを格納，読み出し，削除などの処理をするためのソフトウェアである。例えば，番組メタ情報蓄積部２１９により，ＤＢシステムが呼び出され，番組メタ情報蓄積部２１９がＤＢシステムを活用することで番組メタ情報ＤＢに番組メタ情報が格納等される。
【０１７６】
（２．３  番組確認端末装置１２１）
次に，図８を参照しながら，本実施の形態にかかる番組確認端末装置１２１について説明する。図８は，本実施の形態にかかる番組確認端末装置１２１の概略的な構成を示すブロック図である。
【０１７７】
なお，本実施の形態にかかる番組確認端末装置１２１は，デスクトップ型パーソナルコンピュータ（デスクトップ型パソコン），ノート型パソコン，ワークステーション，ＰＤＡ，または携帯電話などを例示することができる。
【０１７８】
図８に示すように，本実施の形態にかかる番組確認端末装置１２１は，表示部２２１，表示要求受付部２２３，制御部２２５，番組メタ情報取得部２２７，入力部２２９，番組表構成許可部２３１，通信部２３３，および記憶部２３５が備わっている。
【０１７９】
上記番組確認端末装置１２１に備わる表示部２２１，表示要求受付部２２３，制御部２２５，番組メタ情報取得部２２７，入力部２２９，番組表構成許可部２３１，通信部２３３，および記憶部２３５の各部は，各種バスにより接続され，相互に様々なデータ・情報を伝送している。
【０１８０】
また，本実施の形態にかかる制御部２０３と，表示要求受付部２２３，番組メタ情報取得部２２７，番組表構成許可部２３１の各部とは別体の場合を例に挙げて説明したが，かかる例に限定されず，例えば，制御部２０３に，表示要求受付部２２３，番組メタ情報取得部２２７，または番組表構成許可部２３１のうち少なくとも一つを一体的に備えた場合であっても実施可能である。
【０１８１】
記憶部２３５は，番組表または番組メタ情報など各種データを読書きし，番組表または番組メタ情報などのデータを格納可能なデバイスである。なお，その他については上記説明した本実施の形態にかかる記憶部２０１とほぼ同様な構成であるため詳細な説明は省略する。
【０１８２】
表示部２２１は，企画ユーザの番組表の構成を許可するためのチェックとして，各局が放送する予定の番組の一覧表（番組表）を表示する。さらに番組メタ情報の状況等を示すステータス情報に従い，番組枠の表示色を変更する。
【０１８３】
なお，表示部２２１は，例えば，ＣＲＴ（Ｃａｔｈｏｄｅ  Ｒａｙ  Ｔｕｂｅ）ディスプレイ又は液晶ディスプレイなどを例示することができ，動画像のほか，静止画像，またはテキストなどを表示し，さらに音声などを出力することも可能である。
【０１８４】
表示要求受付部２２３は，企画ユーザが入力部２２９を操作することで番組表の表示の要求を受信，取得する。受信された表示要求情報は，表示要求受付部２２３が適当な部に伝送する。例えば，企画ユーザが入力部２２９を介して，所定の放送日が入力され，上記放送日の番組表の表示要求が行われると，表示要求受付部２２３が受信し，当該表示要求情報を通信部２３３に送信する。なお，表示要求情報は，通信部２３３によってサービス提供装置１１１に送信される。
【０１８５】
なお，本実施の形態にかかる表示要求受付部２２３は，番組表を表示するために表示要求情報を生成しているが，かかる例に限定されず，例えば，表示要求受付部２２３は，番組表以外の表示形式で番組メタ情報を表示する目的の場合等でも，表示要求情報を生成してもよい。
【０１８６】
番組メタ情報取得部２２７は，サービス提供装置１１１から送信される番組表に構成される１又は２以上の番組メタ情報を通信部２３３を介して，取得する。取得後，表示部２２１に番組表を表示するため表示可能なように番組メタ情報を加工し，表示部２２１に送信する。したがって，番組メタ情報取得部２２７によって番組メタ情報が得られることで，表示部２２１に番組表が表示される。
【０１８７】
なお，本実施の形態にかかる番組メタ情報取得部２２７は，番組メタ情報を取得し，番組表に表示可能な形式に番組メタ情報を変換する場合を例に挙げて説明したが，かかる例に限定されず，例えば，番組メタ情報取得部２２７は，リスト形式に番組メタ情報を表示可能なようにデータ変換する場合等でも実施可能である。
【０１８８】
入力部２２９は，使用者から操作指示を受けることが可能なマウス，トラックボール，トラックパッド，スタイラスペン，またはジョイスティックなどのポインティングデバイスや，キーボードなどからなるが，かかる例に限定されない。
【０１８９】
企画ユーザは，上記入力部２２９に備わるボタン，十字キー等をクリックしたり，押下など操作することで，番組確認端末装置１２１に番組表を表示する処理，番組表を構成するため各番組メタ情報をチェック後，番組メタ情報のステータス情報を更新する処理等の処理を指示・命令することができる。
【０１９０】
番組表構成許可部２３１は，表示部２２１に番組表を表示後，入力部２２９からの指示により，番組表を構成してもよい番組メタ情報のステータス情報を更新する。番組表構成許可部２３１は，ステータス情報のうち番組表構成の許可を示す番組表許可状況を更新する。
【０１９１】
本実施の形態にかかる番組情報処理システム１００にかかる処理工程のなかで，番組表構成許可部２３１によるステータス情報の更新は，番組表を一般ユーザ１０１にサービス提供する直前の段階である。したがって，ステータス情報の更新後，番組メタ情報はＷＷＷサーバ（図示せず。）に送信され，所定のタイミングで番組表に構成される。
【０１９２】
なお，ステータス情報の更新前に番組表構成許可部２３１は，放送ユーザから最終チェックを受けているか，予め設定された関連付け条件に見合ったコンテンツメタ情報であるか否かの論理チェックを行い，エラーがなければ上記番組メタ情報のステータス情報を更新する。なお，上記ステータス情報については，後程説明する。
【０１９３】
なお，通信部２３３は，上記説明した本実施の形態にかかる番組登録端末装置１２９に備わる通信部２１５とほぼ同様の構成であるため，詳細な説明は省略する。
【０１９４】
制御部２２５は，番組確認端末装置１２１に備わる各部の処理・命令等を制御する。また，関連付けアプリケーション等，記憶部２３５に記憶されたソフトウェアを起動させて，各所定処理を行うよう各部に指示／命令する。例えば，番組表構成許可部２３１にサービス管理アプリケーションを活用して，番組メタ情報のステータス情報を更新するよう指示または更新処理の制御等している。なお，本実施の形態にかかる制御部２２５は，例えば，ＣＰＵ（中央演算処理装置）等に該当するが，かかる例に限定されない。
【０１９５】
次に，記憶部２３５に記憶されたソフトウェア等について説明すると，上記記憶部２０１には，ＯＳ（オペレーション・システム）と，関連付けアプリケーションと，番組設定アプリケーションと，利用アプリケーションと，ＤＢシステム，サービス管理アプリケーションとが，予めインストールなどによって記憶領域が割当てられ所定の領域に記憶されている。
【０１９６】
上記番組設定アプリケーションは，番組情報の入力処理から番組メタ情報の登録処理までの各処理をするために必要なモジュールを有する。なお，既に説明した番組登録端末装置１２９に格納された番組設定アプリケーションとほぼ同様の構成であるため詳細な説明は省略するが，番組設定アプリケーションを利用する際には，番組確認端末装置１２１に番組メタ情報生成部２１３，入力受付部２０５，登録指示部２０９等が少なくとも備わる必要がある。
【０１９７】
利用アプリケーション，ＤＢシステム，ＯＳについても，上記説明した番組登録端末装置１２９に格納された各アプリケーション等とほぼ同様の構成であるため詳細な説明は省略する。
【０１９８】
サービス管理アプリケーションは，番組メタ情報を表示要求する処理から番組表の構成を許可する処理までの各処理をするのに必要なモジュールが備わっている。例えば，サービス管理アプリケーションは，表示要求受付部２２３が番組メタ情報を要求するために必要な表示要求情報を生成する表示要求情報生成モジュール，番組メタ情報取得部２２７が番組メタ情報を取得するために必要な番組メタ情報取得モジュール，番組表構成許可部２３１が番組メタ情報について番組表の構成を許可するために必要な番組表構成許可モジュールなどを有する。
【０１９９】
なお，本実施の形態にかかるサービス管理アプリケーションは，複数のモジュールから構成される場合を例に挙げて説明したが，かかる例に限定されず，モジュールを構成しない１つのプログラムからなる場合でもよい。
【０２００】
したがって，サービス管理アプリケーションに含む複数のモジュールは，必要に応じて呼び出され，所定の処理が実行される。例えば，番組メタ情報を表示するために，制御部２２５から表示要求受付部２２３に対し，番組メタ情報を要求するよう命令があると，表示要求受付部２２３は，記憶部２３５に記憶されたサービス管理アプリケーションの表示要求情報生成モジュールを呼び出し，番組メタ情報を要求するための表示要求情報の生成処理を行う。
【０２０１】
また，関連付けアプリケーションは，番組メタ情報にコンテンツメタ情報等の情報を関連付け処理するモジュールを備える。
【０２０２】
（２．４  コンテンツ提供端末装置１１３）
次に，図９を参照しながら，本実施の形態にかかるコンテンツ提供端末装置１１３について説明する。図９は，本実施の形態にかかるコンテンツ提供端末装置１１３の概略的な構成を示すブロック図である。
【０２０３】
なお，本実施の形態にかかるコンテンツ提供端末装置１１３は，デスクトップ型パーソナルコンピュータ（デスクトップ型パソコン），ノート型パソコン，ワークステーション，ＰＤＡ，または携帯電話などを例示することができる。
【０２０４】
図９に示すように，本実施の形態にかかるコンテンツ提供端末装置１１３は，表示部２３７，制御部２３９，入力部２４１，通信部２４３，および記憶部２４５が備わっている。
【０２０５】
上記コンテンツ提供端末装置１１３に備わる表示部２３７，制御部２３９，入力部２４１，通信部２４３，および記憶部２４５の各部は，各種バスにより接続され，相互に様々なデータ・情報を伝送している。
【０２０６】
記憶部２４５は，コンテンツメタ情報またはコンテンツ実体など各種データを読書きし，コンテンツメタ情報またはコンテンツ実体などのデータを格納可能なデバイスである。なお，その他については上記説明した本実施の形態にかかる番組登録端末装置１２９に備わる記憶部２０１とほぼ同様な構成であるため詳細な説明は省略する。
【０２０７】
表示部２３７は，コンテンツユーザがコンテンツメタ情報の関連付ける対象となる番組メタ情報の一覧表を表示する。番組メタ情報の一覧表は，例えば番組表のように放送日と放送局によって番組枠が割当てられた一覧表の場合でもよく，リスト形式に番組メタ情報が表示された一覧表の場合でもよい。
【０２０８】
コンテンツユーザは，表示部２３７に表示された上記一覧表を参照しながら，記憶部２４５に格納されるコンテンツメタ情報を関連付ける対象先の番組を決定する。
【０２０９】
なお，表示部２３７は，例えば，ＣＲＴ（Ｃａｔｈｏｄｅ  Ｒａｙ  Ｔｕｂｅ）ディスプレイ又は液晶ディスプレイなどを例示することができ，動画像のほか，静止画像，またはテキストなどを表示し，さらに音声などを出力することも可能である。
【０２１０】
入力部２４１は，コンテンツユーザから操作指示を受けることが可能なマウス，トラックボール，トラックパッド，スタイラスペン，またはジョイスティックなどのポインティングデバイスや，キーボードなどからなるが，かかる例に限定されない。
【０２１１】
コンテンツユーザは，上記入力部２４１に備わるボタン，十字キー等をクリックしたり，押下など操作することで，コンテンツ提供端末装置１１３に対し，指定した番組メタ情報を要求する処理，番組メタ情報にコンテンツメタ情報を関連付ける処理，コンテンツメタ情報が関連付けられた番組メタ情報およびコンテンツメタ情報をサービス提供装置１１１に送信する処理等の処理を指示・命令することができる。
【０２１２】
なお，通信部２４３は，上記説明した本実施の形態にかかる番組登録端末装置１２９に備わる通信部２１５とほぼ同様の構成であるため，詳細な説明は省略する。
【０２１３】
制御部２３９は，コンテンツ提供端末装置１１３に備わる各部の処理・命令等を制御する。また，関連付けアプリケーション等，記憶部２３５に記憶されたソフトウェアを起動し，各所定処理を行っている。例えば，制御部２３９は，関連付けアプリケーションを呼び出し，指定されたコンテンツメタ情報を指定された番組メタ情報に関連付け処理を，上記関連付けアプリケーションを活用し，実行している。なお，本実施の形態にかかる制御部２３９は，例えば，ＣＰＵ（中央演算処理装置）等に該当するが，かかる例に限定されない。
【０２１４】
（２．５  利用者端末装置１０７）
次に，図１０を参照しながら，本実施の形態にかかる利用者端末装置１０７について説明する。図１０は，本実施の形態にかかる利用者端末装置１０７の概略的な構成を示すブロック図である。
【０２１５】
なお，本実施の形態にかかる利用者端末装置１０７は，デスクトップ型パーソナルコンピュータ（デスクトップ型パソコン），ノート型パソコン，ワークステーション，ＰＤＡ，または携帯電話などを例示することができる。
【０２１６】
図１０に示すように，本実施の形態にかかる利用者端末装置１０７は，表示部２４７，制御部２４９，入力部２５１，通信部２５３，および記憶部２５５が備わっている。
【０２１７】
上記コンテンツ提供端末装置１１３に備わる表示部２４７，制御部２４９，入力部２５１，通信部２５３，および記憶部２５５の各部は，各種バスにより接続され，相互に様々なデータ・情報を伝送している。
【０２１８】
記憶部２５５は，コンテンツメタ情報またはコンテンツ実体など各種データを読書きし，コンテンツメタ情報またはコンテンツ実体などのデータを格納可能なデバイスである。なお，その他については上記説明した本実施の形態にかかる番組登録端末装置１２９に備わる記憶部２０１とほぼ同様な構成であるため詳細な説明は省略する。
【０２１９】
表示部２４７は，一般ユーザが企画会社１０５からサービス提供を受けて番組表等の情報を表示する。番組表は，例えば放送日と放送局ごとに番組枠が割当てられた番組のタイムスケジュール表である。なお，番組表に限定されず，例えば，番組の一覧がリスト形式に表示される場合でもよい。
【０２２０】
一般ユーザは，表示部２４７に表示された番組表を視聴し，番組の録画予約や，番組枠に表示された番組メタ情報から出演者などの詳細情報にアクセスしたり，番組に関連するコンテンツメタ情報にアクセスし，番組のテーマ曲など番組に関連付けられたコンテンツ実体を購入すること等ができる。
【０２２１】
なお，表示部２４７は，例えば，ＣＲＴ（Ｃａｔｈｏｄｅ  Ｒａｙ  Ｔｕｂｅ）ディスプレイ又は液晶ディスプレイなどを例示することができ，動画像のほか，静止画像，またはテキストなどを表示し，さらに音声などを出力することも可能である。
【０２２２】
入力部２４１は，コンテンツユーザから操作指示を受けることが可能なマウス，トラックボール，トラックパッド，スタイラスペン，またはジョイスティックなどのポインティングデバイスや，キーボードなどからなるが，かかる例に限定されない。
【０２２３】
一般ユーザは，上記入力部２５１に備わるボタン，十字キー等をクリックしたり，押下する等の操作により，利用者端末装置１０７に対し，番組枠に表示された番組メタ情報を選択／表示する処理，番組メタ情報または番組メタ情報に関連付けられたコンテンツメタ情報を検索する処理等の処理を指示・命令することができる。
【０２２４】
なお，通信部２５３は，上記説明した本実施の形態にかかる番組登録端末装置１２９に備わる通信部２１５とほぼ同様の構成であるため，詳細な説明は省略する。
【０２２５】
制御部２４９は，利用者端末装置１０７に備わる各部の処理・命令等を制御する。また，関連付けアプリケーション等，記憶部２５５に記憶されたソフトウェアを起動し，各所定処理を行っている。例えば，制御部２４９は，利用アプリケーションを呼び出し，選択された番組枠に相当する番組メタ情報を表示する処理を，上記利用アプリケーションを活用し，実行している。なお，本実施の形態にかかる制御部２４９は，例えば，ＣＰＵ（中央演算処理装置）等に該当するが，かかる例に限定されない。
【０２２６】
（２．６  サービス提供装置１１１）
まず，図１１を参照しながら，本実施の形態にかかるサービス提供装置１１１について説明する。図１１は，本実施の形態にかかるサービス提供装置の概略的な構成を示すブロック図である。
【０２２７】
なお，本実施の形態にかかるサービス提供装置１１１は，デスクトップ型パーソナルコンピュータ（デスクトップ型パソコン），ノート型パソコン，ワークステーション，自宅内に備え，個人のパソコンまたはテレビなどと接続するホームサーバなどを例示することができる。
【０２２８】
図１１に示すように，本実施の形態にかかるサービス提供装置１１１は，表示部２５７，制御部２５９，通信部２６１，入力部２６３，番組メタ情報登録部２６５，番組メタ情報抽出部２６７，および記憶部２６９が備わっている。
【０２２９】
上記サービス提供装置１１１に備わる表示部２５７，制御部２５９，通信部２６１，入力部２６３，番組メタ情報登録部２６５，番組メタ情報抽出部２６７，および記憶部２６９の各部は，各種バスにより接続され，相互に様々なデータ・情報を伝送している。
【０２３０】
また，本実施の形態にかかる制御部２０３と，番組メタ情報登録部２６５及び番組メタ情報抽出部２６７の各部とは別体の場合を例に挙げて説明したが，かかる例に限定されず，例えば，番組メタ情報登録部２６５又は番組メタ情報抽出部２６７のうち少なくとも一つを一体的に備えた場合であっても実施可能である。
【０２３１】
記憶部２６９は，各放送局１０１が登録した複数の番組メタ情報，コンテンツ提供会社１０４が番組メタ情報に関連付けたコンテンツメタ情報など各種データを読書きし，また各種データを格納可能なデバイスである。なお，その他の上記記憶部２６９については，上記説明した本実施の形態にかかる番組登録端末装置１２９に備わる記憶部２０１とほぼ同様の構成であるため，詳細な説明は省略する。
【０２３２】
表示部２５７は，例えば，ＣＲＴ（Ｃａｔｈｏｄｅ  Ｒａｙ  Ｔｕｂｅ）ディスプレイ又は液晶ディスプレイなどを例示することができ，動画像のほか，静止画像，またはテキストなどを表示し，さらに音声などを出力することも可能である。
【０２３３】
入力部２６３は，サービス提供装置１１１を管理／運用する管理者等から操作指示を受けることが可能なマウス，トラックボール，トラックパッド，スタイラスペン，またはジョイスティックなどのポインティングデバイスや，キーボードなどからなるが，かかる例に限定されない。
【０２３４】
制御部２５９は，サービス提供装置１１１に備わる各部の処理・命令等を制御する。また，番組設定サーバアプリケーション等，記憶部２６９に記憶されたソフトウェアを起動させて，各所定処理を行うよう番組メタ情報登録部２６５又は番組メタ情報抽出部２６７などの各部に指示／命令する。例えば，番組メタ情報を登録するため，制御部２５９は，番組メタ情報登録部２６５に番組メタ情報を番組メタ情報ＤＢに格納するよう指示または格納処理の制御等している。なお，本実施の形態にかかる制御部２５９は，例えば，ＣＰＵ（中央演算処理装置）等に該当するが，かかる例に限定されない。
【０２３５】
通信部２６１は，ネットワーク１０３と接続され，ネットワークにデータを送信又はネットワークからデータを受信する。なお，通信部２６１は，上記説明した本実施の形態にかかる番組登録端末装置１２９に備わる通信部２０４とほぼ同様の構成であるため詳細な説明は省略する。
【０２３６】
番組メタ情報生成部２１３は，番組情報を受信すると，当該番組情報に基づき番組メタ情報を生成する。番組メタ情報生成部２１３は，番組情報から必要部分を抽出し，番組メタ情報の構造に適合するようにＸＭＬ（ｅＸｔｅｎｓｉｂｌｅ  Ｍａｒｋｕｐ  Ｌａｎｇｕａｇｅ）などのデータ形式で，番組メタ情報を生成する。なお，本実施の形態にかかる番組メタ情報生成部２１３は，番組ごとに番組情報を受信し，番組単位で番組メタ情報を１ファイル等として，生成するが，かかる例に限定されず，例えば，複数の番組の番組情報を一括して受信し，複数番組の番組メタ情報を１つのファイルで生成する場合等でもよい。
【０２３７】
さらに，本実施の形態にかかる番組メタ情報生成部２１３は，番組情報から番組メタ情報を生成する場合を例に挙げて説明したが，かかる例に限定されない。例えば，番組メタ情報生成部２１３は，番組メタ情報を生成せず，登録指示部２０９が上記番組情報を通信部２１５を介して，サービス提供装置１１１に送信する場合であってもよい。なお上記の場合，サービス提供装置１１１に番組メタ情報生成部２１３が備わることが必要とされる。
【０２３８】
番組メタ情報生成部２１３により生成された番組メタ情報をサービス提供装置１１１に登録する場合，登録指示部２０９は，入力部２０７からの指示で選択された登録対象の番組メタ情報を登録する旨の登録指示情報を通信部２１５に伝送する。上記番組メタ情報を登録する旨の登録指示情報は，通信部２１５により，ネットワーク１０３を介して，サービス提供装置１１１に送信される。登録機関として登録先の企画会社１０５の選定は，例えば予めサービス提供装置１１１のＩＰアドレスなどを番組登録端末装置１２９の記憶部２０１に環境情報として記憶することによって特定できる。
【０２３９】
番組メタ情報登録部２６５は，各放送局１０２に備わる番組登録端末装置１２９から番組メタ情報の登録の指示（登録指示情報）があると，登録指示情報とともに受信する番組メタ情報について所定のフォーマットチェック等の処理の後，番組メタ情報を番組メタ情報ＤＢに格納する。なお，既に登録済みの番組メタ情報に対して，情報の修正等の更新処理も実施する。さらに，格納処理，更新処理が終了すると，その結果情報は登録依頼元の番組登録端末装置１２９に送信される。
【０２４０】
したがって，例えば，付加指示情報やコピー指示情報に従い，番組登録端末装置１２９に備わる情報付加部２１７が放送日時情報等の新たな情報を付加した番組メタ情報について，番組メタ情報ＤＢに格納された番組メタ情報を上記情報が付加された番組メタ情報に更新する。
【０２４１】
本実施の形態にかかる番組メタ情報登録部２６５は，番組メタ情報をそのまま番組メタ情報ＤＢに格納等する場合を例に挙げて説明したが，かかる例に限定されず，例えば，番組メタ情報登録部２６５は，番組情報を番組登録端末装置１２９から受信し，上記番組情報から番組メタ情報に変換してから，番組メタ情報ＤＢに格納等する場合でもよい。
【０２４２】
また，番組メタ情報登録部２６５は，各番組単位で番組メタ情報の登録の指示を受け，上記番組メタ情報を格納等するが，かかる例に限定されず，例えば，番組メタ情報登録部２６５は，複数の番組を１組にしたグループ単位で，上記番組に対応する各番組メタ情報を格納等する場合でも実施可能である。
【０２４３】
番組メタ情報抽出部２６７は，番組登録端末装置１２９またはコンテンツ提供端末装置１１３等から，指定された番組メタ情報の要求があると，番組メタ情報を番組メタ情報ＤＢから抽出する。抽出された番組メタ情報は，通信部２６１を介して各端末装置に送信される。
【０２４４】
また，番組メタ情報抽出部２６７は，番組登録端末装置１２９またはコンテンツ提供端末装置１１３等から，所定のキーワードが設定された番組メタ情報の要求があると，上記キーワードを含む番組メタ情報を検索し，検索された番組メタ情報を各端末装置に送信する場合でも実施可能である。
【０２４５】
次に，記憶部２６９に記憶されたソフトウェア等について説明すると，上記記憶部２６９には，ＯＳ（オペレーション・システム）と，番組設定サーバアプリケーションと，利用サーバアプリケーションと，ＤＢサーバシステムと，関連付け設定サーバアプリケーションと，サービス管理サーバアプリケーションと，番組メタ情報ＤＢとが，予めインストールなどによって記憶領域が割当てられ所定の領域に記憶されている。
【０２４６】
上記番組設定サーバアプリケーションは，番組情報の入力処理から番組メタ情報の登録処理までの各処理の要求を番組登録端末装置１２９等の外部の端末装置からリクエストされた場合，上記処理を実行するために必要なサーバ用のモジュールを有する。例えば，番組設定アプリケーションは，外部の端末装置から番組メタ情報を登録するよう要求された場合，上記番組メタ情報を登録する番組メタ情報登録モジュールなどを有する。なお，番組メタ情報登録モジュールは，番組登録端末装置１２９などの外部端末装置によって番組メタ情報に放送日時情報などの情報が付加された場合，既に番組メタ情報ＤＢに格納された上記番組メタ情報を更新等処理するモジュールでもある。
【０２４７】
なお，本実施の形態にかかる番組設定サーバアプリケーションは，複数のモジュールから構成される場合を例に挙げて説明したが，かかる例に限定されず，モジュールを構成しない１つのプログラムからなる場合でもよい。
【０２４８】
したがって，番組設定サーバアプリケーションに含むモジュールは，必要に応じて呼び出され，所定の処理が実行される。例えば，制御部２５９から番組メタ情報登録部２６５に対して，番組メタ情報を登録するよう命令があると，番組メタ情報登録部２６５は，記憶部２６９に記憶された番組設定サーバアプリケーションの番組メタ情報登録モジュールを呼び出し，番組メタ情報の登録処理を行う。
【０２４９】
利用サーバアプリケーションは，一般ユーザが使用する利用者端末装置１０７から番組表の表示要求があると指定された放送日の各局からなる番組表を編集し，表示部に表示可能なようなデータ形式からなる番組表を生成等する場合に使用するソフトウェアである。なお，番組表に限定されず，各局の番組の表示形式がその他いかなる形態のものであっても実施可能である。
【０２５０】
利用サーバアプリケーションは，複数のモジュールから構成され，利用者端末装置１０７から番組表の表示要求を受信し，表示部に表示可能なデータ形式で，指定された放送日時の番組表等を編集する等の各処理を実行するためのモジュールから構成される。
【０２５１】
ＤＢサーバシステムは，各種のＤＢにデータを格納，読み出し，削除などをするよう要求された場合，上記要求通りの処理を実行するためのソフトウェアである。なお，ＤＢサーバシステムはその他のサーバアプリケーションと連携し，ＤＢの格納等を実行している。例えば，番組メタ情報抽出部２６７等により，サービス管理サーバアプリケーションによる処理内にＤＢシステムが呼び出され，番組メタ情報抽出部２６７がＤＢシステムを活用することで番組メタ情報ＤＢに番組メタ情報が格納等される。
【０２５２】
サービス管理サーバアプリケーションは，登録後の番組メタ情報の表示要求処理から，番組表作成の最終工程段階である番組表の構成を許可する処理までの各処理をするのに必要なモジュールが備わっている。
【０２５３】
例えば，サービス管理サーバアプリケーションは，番組メタ情報抽出部２６７が番組メタ情報を抽出するために必要な抽出要求情報をチェックする抽出要求情報確認モジュール，番組メタ情報抽出部２６７が番組メタ情報を抽出するために必要な指定情報をチェックする番組メタ情報抽出モジュールなどを有する。
【０２５４】
なお，本実施の形態にかかるサービス管理アプリケーションは，複数のモジュールから構成される場合を例に挙げて説明したが，かかる例に限定されず，モジュールを構成しない１つのプログラムからなる場合でもよい。
【０２５５】
したがって，サービス管理サーバアプリケーションに含む複数のモジュールは，必要に応じて呼び出され，所定の処理が実行される。例えば，番組メタ情報を抽出するために，制御部２５９から表示部２５７に対する番組表の表示する旨の命令があると，番組メタ情報抽出部２６７は，記憶部２６９に記憶されたサービス管理サーバアプリケーションの番組メタ情報抽出モジュールを呼び出し，番組メタ情報を抽出する抽出処理を行う。
【０２５６】
また，関連付けサーバアプリケーションは，外部からの端末装置により関連付け処理が要求されると，番組メタ情報にコンテンツメタ情報等の情報を関連付け処理を実行するモジュール等を備える。
（３．本実施の形態にかかるデータ又はデータ構造）
次に，本実施の形態にかかる情報提供システムに適用される各種データまたはデータ構造について説明する。
【０２５７】
まず，本実施の形態にかかるコンテンツ提供端末装置１１３において，制作されるコンテンツ実体またはコンテンツメタ情報について説明する。上記説明の通り，コンテンツ提供端末装置１１３は，コンテンツ実体を制作後，当該コンテンツ実体にアクセスするためのリンク情報等を含むコンテンツメタ情報を生成する。
【０２５８】
上記生成されたコンテンツメタ情報は，例えば，コンテンツ実体に関連性の高い番組メタ情報等に付加される。なお，コンテンツメタ情報は，主コンテンツである番組の番組メタ情報等にひも付けることが可能なメタ情報である。コンテンツの実体は，コンテンツメタ情報にひも付けられた少なくとも商品，プログラム，パッケージ，サービス，静止画データ，動画データ，音楽データ，またはテキストのうち少なくとも一つから構成されるコンテンツである。上記コンテンツ実体は，例えばコンテンツ実体を提供する他のＷｅｂサイトからダウンロードにより購入可能となっている。
【０２５９】
上記コンテンツメタ情報は，放送番組表に含まれる複数の番組（メインコンテンツ）の番組メタ情報（または，メインメタ情報）の配下に属するメタ情報である。したがって，利用者端末装置１０７は，番組表に構成する１の番組メタ情報にアクセスすると，番組メタ情報と関連性のある１又は２以上のコンテンツメタ情報等に派生的にアクセスすることができる。
【０２６０】
したがって，１の番組メタ情報から番組の詳細情報等又はコンテンツメタ情報等にアクセスし，さらに目的とするコンテンツの実体（グッズなど）にアクセスすることができる。一般ユーザ１０１は，上記グッズを，課金・決済することで購入することができる。課金・決済については，企画会社１０５側で運用するサービス提供装置１１１等が行う。
【０２６１】
また，番組登録端末装置は，入力された番組情報に基づきメインメタ情報である番組メタ情報を生成し，サービス提供装置１１１に登録を要求する。なお，番組メタ情報は，利用者端末装置１０７に配信する番組表の１番組要素として構成する。番組表は，ＥＰＧ形式またはＥＣＧ形式に構成されたものがあるが，本実施の形態では双方共に実施可能である。
【０２６２】
本実施の形態にかかる企画会社１０５から一般ユーザ１０１に番組表が提供される際，番組表を構成する各番組の番組メタ情報には，予めメタ情報参照ＩＤが割当てられ，まずメタ情報参照ＩＤが利用者端末装置１０７に送信され，メタ情報参照ＩＤを選択することで，番組メタ情報等をアクセスする場合であってもよい。
【０２６３】
番組メタ情報と，コンテンツメタ情報とにメタ情報参照ＩＤが付与されることにより，利用者端末装置１０７は，メタ情報参照ＩＤに基づき，番組メタ情報またはコンテンツメタ情報を取得することができる場合でもよい。
【０２６４】
次に，本実施の形態にかかるＥＣＧ情報について説明する。ＥＣＧ情報は，メタ情報である番組メタ情報とコンテンツメタ情報とから少なくとも構成される。なお，ＥＰＧ情報は，上記ＥＣＧ情報のベースとなる情報である。
【０２６５】
ＥＣＧ情報は，ＴＶ（テレビ）番組を検索するためのデータとして基本ＥＰＧ（Ｅｌｅｃｔｒｏｎｉｃ  Ｐｒｏｇｒａｍ  Ｇｕｉｄｅ）情報を拡張し，ＴＶ番組だけではなくインターネット上等の各種コンテンツの検索をし，必要な情報を入手することが可能となる。したがって，ＥＣＧ情報の一部が基本ＥＰＧ情報に該当する。
【０２６６】
ＥＰＧ情報を拡張した上記ＥＣＧを利用することにより，検索対象がテレビ番組に限定されず，ネットワーク１０３を介して取得可能な詳細情報，各種グッズまで検索対象とすることができ，検索された詳細情報，各種グッズ等を入手することができる。
【０２６７】
番組メタ情報は，ＥＣＧ情報として提供されるメタ情報のうち，番組表に構成される番組の内容が記載されたメタ情報である。なお，放送番組表に含まれる複数の番組は，放送局１０２が主コンテンツとして提供するコンテンツ（番組）である。
【０２６８】
また，コンテンツメタ情報は，ＥＣＧ情報として提供されるメタ情報のうち，コンテンツの実体に付加されるメタ情報である。なお，コンテンツの実体（グッズ）は，番組メタ情報に関連付けられた１または２以上の詳細情報またはコンテンツメタ情報とリンクしている。
【０２６９】
また，番組メタ情報は，ＥＣＧ情報として提供されるメタ情報のうち，番組に関連するメタ情報である。例えば，番組メタ情報は，大別すると情報，詳細情報，放送日時情報が含まれる。
【０２７０】
概要情報には，例えば連続番組等の場合，すべての回に共通する情報（放送の曜日，時間，主な出演者など）が含まれ，詳細情報には，その回に関する情報（その回のあらすじ，その回のみに出演する出演者など。）が含まれる。
【０２７１】
さらに具体的には，番組メタ情報は，番組タイトル，放送日時，言語，俳優や監督などのクレジット一覧，販売促進目的で利用される内容が記述されたプロモーション情報，１つの単語又は複数の単語からなるキーワード，ジャンル，番組内のシーンなどが記載された情報が含まれる。なお，詳細情報については，上記説明のように番組メタ情報に含まれず，外部にリンクして詳細情報として存在する場合であってもよい。
【０２７２】
なお，連続番組等の場合，各回の番組は共通する部分があるが，相互に異なるものとし，番組メタ情報も各回の番組ごとに作成されるが，かかる例に限定されず，例えば，連続番組等の場合，番組の共通部分の概要情報だけからなる番組メタ情報を１ファイルに一元化し，その他の詳細情報などの番組メタ情報は各回の番組ごとに作成する場合等でもよい。
【０２７３】
番組メタ情報は，現状の放送波におけるＳＩやネットワーク上のサービス提供装置１１１により，配信される。ＥＣＧ情報に含まれる番組メタ情報は，ＥＰＧ情報のデータ構造と相違するが，番組メタ情報がＥＰＧ情報として表現されても内容は，ほぼ実質同一である。
【０２７４】
コンテンツメタ情報は，ＥＣＧ情報に含まれるメタ情報である。コンテンツメタ情報は，コンテンツ提供端末装置１１３により，番組メタ情報と関連付けられ，上記関連付けにより生成されるひも付けメタ情報が，サービス提供装置１１１により管理される。
【０２７５】
上記コンテンツメタ情報には，例えば，ＵＲＩ（Ｕｎｉｖｅｒｓａｌ  Ｒｅｓｏｕｒｃｅ  Ｉｄｅｎｔｉｆｉｅｒ）であるコンテンツの所在情報（場所情報），名称，著者などの人名，コンテンツの制作者名，上記コンテンツを提供するサービス有効期限などの情報が含まれる。なお，ＵＲＬは，上記ＵＲＩの体系に含まれる。
【０２７６】
次に，図１２を参照しながら，本実施の形態にかかる番組メタ情報のデータ構造について説明する。図１２は，本実施の形態にかかる番組メタ情報のデータ構造を示す説明図である。
【０２７７】
図１２に示すように，ＥＣＧからなる放送番組表に構成される番組の番組メタ情報のデータ構造は，ＸＭＬ形式からなり，番組メタ情報は，番組メタ情報ＩＤ（“ｐｒｏｇｒａｍ  ｉｄ”），ジャンル，出演者，放送時間，番組の前編・後編などの放送回数を示すセグメント，ひも付けメタ情報ＩＤ（“ｒｅｌａｔｉｏｎ  ｒｅｆｅｒｅｎｃｅ＿ｉｄ”）などを示す要素または属性を含むタグから構成される。
【０２７８】
なお，番組メタ情報は，概要情報を示す番組概要と，詳細情報を示す番組詳細と，放送日情報とから構成される。
【０２７９】
まず，タグ“＜ｐｒｏｇｒａｍ  ｉｄ〜＞”のうち，「ｉｄ＝“１２３４５６７８”」は番組メタ情報ＩＤを示し，番組編成時等で一意的に割当てられる番組または番組メタ情報の識別子である。「ｎａｍｅ＝“ＤＤＤＤ”」は，番組のタイトルが「ＤＤＤＤ」であることを示している。
【０２８０】
次に，タグ“＜ＰｒｏｇｒａｍＢａｓｉｃＩｎｆｏ〜／＞”からなる番組概要には，複数の番組に共通する情報が上記タグ内に含まれている。例えば，映画「Ａ」と番組のタイトルを示す“Ｔｉｔｌｅ＝“映画「Ａ」””や，日本語と言語を示す“Ｌａｎｇｕａｇｅ＝“日本語””などのタグ・要素で表された情報が含まれている。
【０２８１】
また，上記番組概要のタグのうち「ｇｅｎｒｅ＝“ｎｅｗｓ”」は，番組のジャンルが「ｎｅｗｓ（ニュース）」であることを示し，「ｋｅｙｗｏｒｄｓ＝“ＪＪＪ  ＫＫＫ  ＬＬＬ”」であることを示している。なお，上記「ｋｅｙｗｏｒｄｓ」は，番組メタ情報ごとに設定され，ジャンルや，上記「ｋｅｙｗｏｒｄｓ（キーワード）」の属性値を検索することで，該当の番組を検索することができる。例えば，キーワードには番組の特徴などを象徴するような単語が設定されると，番組の特徴と類似するような他の番組を効率的に検索できる。
【０２８２】
「ＳｐｏｎｓｏｒＩｎｆｏｍａｔｉｏｎ＝“Ｚｏｎｙ”」は，当該番組のスポンサーを示している。
【０２８３】
次に，タグ“＜ｏａ〜＞〜＜／ｏａ＞”には，放送される番組ごとの放送日時情報が上記タグ内に含まれている。例えば，図１２に示すように，＜ｏａ  ｓｔａｒｔ＿ｄａｔｅ＝“２００３／１０／１：２０：００：００”  ｄｕｒａｔｉｏｎ＝“０１：００：００”＞は，上記「ｓｔａｒｔ＿ｔｉｍｅ＝“２００３／１０／１：２０：００：００”」は，番組の放送日時を示し，「ｄｕｒａｔｉｏｎ＝“０１：００：００”」は番組の時間的な長さを示している。なお，放送日時情報は，放送日および放送時刻を表す情報であるが，かかる例に限定されず，例えば，放送日のみ，放送時刻のみの場合であっても実施可能である。また，放送日時情報は各回の番組の詳細情報単位で付加される。
【０２８４】
次に，タグ“＜ｄｅｔａｉｌｓ＞〜＜／ｄｅｔａｉｌｓ＞”には，放送される各回等の番組の詳細情報が上記タグ内の属性・要素に含まれている。例えば，図１２に示すように，“＜ＣｒｅｄｉｔＬｉｓｔ＞〜＜／ＣｒｅｄｉｔＬｉｓｔ＞”は，クレジット一覧を示すタグである。上記タグに＜Ｐｅｒｓｏｎ  ｉｄ＝“１＿１”  ｎａｍｅ＝“ａｂｃ”  Ｂｉｒｔｈｐｌａｃｅ＝“Ｊａｐａｎ”／＞等と定義することで，出演者の一覧を情報としてもたせることができる。
【０２８５】
上記「ｎａｍｅ」の属性が出演者の氏名を示し，「Ｂｉｒｔｈｐｌａｃｅ」は，出演者が生誕した場所を示している。なお，“＜Ｐｅｒｓｏｎ〜／＞”に設定される属性は，かかる例に限定されず，例えば，俳優，コメディアンなどの出演者のカテゴリを示す属性が含まれる場合であっても実施可能である。
【０２８６】
また，タグ“＜ＳｅｇｍｅｎｔＧｒｏｕｐ〜＞〜＜／ＳｅｇｍｅｎｔＧｒｏｕｐ＞”は，番組のセグメントグループを示すタグである。セグメントグループは，複数のセグメントを一括管理することができる。またセグメントは，番組内の場面を開始時刻と時間間隔とで分割することで，場面ごとに意味ある形で定義することを可能とする。例えば，野球スポーツの番組で，打者「松井」の３打席目の場面や，投手「鈴木」の９回表の投球（ピッチング）の場面などを例示することができる。
【０２８７】
なお，本実施の形態にかかるセグメントは，番組内の場面を開始時間と時間間隔で分割する場合を例に挙げて説明したが，かかる例に限定されず，セグメントは，例えば，番組が連続ドラマで，放送回数が第１回から最終回の第１１回まで存在すると，上記セグメントを放送回数の番組ごとに分割する場合，番組を前編・後編・総集編などの複数のバージョンごとに分割する場合等でも実施可能である。
【０２８８】
タグ８０３は，当該番組メタ情報に，関連付け処理が行われた際に生成されるひも付けメタ情報を識別するためのひも付けメタ情報参照ＩＤが属性として含まれている。したがって，「ｒｅｆｅｒｅｎｃｅ＿ｉｄ＿ｌｉｓｔ
＝“１２３４５  ６７８９”」は，ひも付けメタ情報参照ＩＤが「１２３４５」，「６７８９」であることを示している。スペースを入れることで，２つのＩＤに区切っているが，かかる例に限定されず，“／”などの記号でも実施可能である。
【０２８９】
なお，本実施の形態にかかる番組メタ情報のデータ構造は，ＸＭＬ形式の場合を例に挙げて説明したが，かかる例に限定されず，例えば，番組メタ情報のデータ構造は，ＨＴＭＬ（Ｈｙｐｅｒ  Ｔｅｘｔ  Ｍａｒｋｕｐ  Ｌａｎｇｕａｇｅ）形式などの場合であっても実施可能である。
【０２９０】
また，本実施の形態にかかる番組メタ情報のタグ内に記載された属性名等は，属性の定義等を行うことで，いかなる名前をつける場合であっても実施可能である。
【０２９１】
次に，図１３を参照しながら，本実施の形態にかかるコンテンツメタ情報のデータ構造について説明する。図１３は，本実施の形態にかかるコンテンツメタ情報のデータ構造を示す説明図である。
【０２９２】
図１３に示すように，コンテンツメタ情報のデータ構造は，ＸＭＬ形式からなる。コンテンツメタ情報は，コンテンツメタ情報ＩＤ，商品名，ジャンル，キーワード，製造元，価格，コンテンツの詳細情報などを示す要素または属性を含むタグ“＜ｃｏｎｔｅｎｔ〜／＞”（タグ９００）から構成される。
【０２９３】
図１３に示すタグ９００のうち，「ｉｄ＝“１２３４５”」は，「１２３４５」からなるコンテンツメタ情報ＩＤであり，コンテンツ作成時等で一意的に割当てられるコンテンツまたはコンテンツメタ情報の識別子である。「ｎａｍｅ＝“商品１”」は，コンテンツの商品名が「商品１」であることを示している。
【０２９４】
また，タグ９００のうち「ｇｅｎｒｅ＝“出版”」は，コンテンツのジャンルが「出版」であることを示し，「ｋｅｙｗｏｒｄｓ＝“ＸＸＸ  ＹＹＹ  ＺＺＺ”」は，キーワードが「ＸＸＸ」，「ＹＹＹ」，「ＺＺＺ」であることを示している。なお，上記「ｋｅｙｗｏｒｄｓ」は，上述の通り，コンテンツメタ情報ごとに設定され，ジャンルや，上記キーワードの属性値を検索することで，該当するコンテンツを検索することができる。また，スペースを入れることで，３つのキーワード等に区切っているが，かかる例に限定されず，“／”などの記号でも実施可能である。
【０２９５】
「ｍａｋｅｒ＝“ｚｏｎｙ”」は，コンテンツの実体の製造元が「ｚｏｎｙ」であることを示しており，「ｐｒｉｃｅ＝“１００円”」は，当該商品であるコンテンツの価格が「１００円」であることを示していおり，「ｃｏｎｔｅｎｔ＿ｉｎｆｏ」は，コンテンツの詳細情報について示しており，例えば，「ｗｗｗ．ｚｏｎｙ．ｃｏ．ｊｐ」または「ｈｔｔｐ：／／ｗｗｗ．ｚｏｎｙ．ｃｏ．ｊｐ／」のように，ＵＲＬ情報などのＵＲＩが設定される。なお，上記「ｃｏｎｔｅｎｔ＿ｉｎｆｏ」に，スペースを入れることで，２つのＵＲＩに区切っているが，かかる例に限定されず，“＆”などの記号でも実施可能である。また，ＵＲＬの表記についてもＦＱＮ（fully qualified name）などの表記の場合でも実施できる。
【０２９６】
なお，本実施の形態にかかるコンテンツメタ情報の属性には，コンテンツのサムネイル画像のＵＲＬ情報などによるリンク先（存在場所）を示す属性が含まれていなかったが，上記サムネイル画像のリンク先を示す属性がタグ９００に含まれる場合であっても実施可能である。
【０２９７】
なお，本実施の形態にかかるコンテンツメタ情報のデータ構造は，ＸＭＬ形式の場合を例に挙げて説明したが，かかる例に限定されず，例えば，コンテンツメタ情報のデータ構造は，ＨＴＭＬ（Ｈｙｐｅｒ  Ｔｅｘｔ  Ｍａｒｋｕｐ  Ｌａｎｇｕａｇｅ）形式などの場合であっても実施可能である。
【０２９８】
また，本実施の形態にかかるコンテンツメタ情報のタグ内に記載された属性名等は，属性の定義等を行うことで，いかなる名前をつけること場合であっても実施可能である。
【０２９９】
次に，図１４を参照しながら，本実施の形態にかかるひも付けメタ情報のデータ構造について説明する。図１４は，本実施の形態にかかるひも付けメタ情報のデータ構造を示す説明図である。
【０３００】
図１４に示すように，ひも付けメタ情報のデータ構造は，ＸＭＬ形式からなる。ひも付けメタ情報は，ひも付けメタ情報参照ＩＤ，ひも付けメタ情報名，ひも付け有効期限，または関連付けられた番組またはコンテンツのジャンルなどを示す要素または属性を含むタグ９０１，タグ群９０２から構成される。
【０３０１】
図１４に示すように，タグ９０１のうち，「ｉｄ＝“１２３４５”」は，「１２３４５」からなる，ひも付けメタ情報参照ＩＤであり，上述の通り，ひも付けメタ情報生成時点で一意的に割当てられるひも付けメタ情報の識別子である。「ｎａｍｅ＝“ＨＨＨ”」は，ひも付けメタ情報名が「ＨＨＨ」であることを示している。
【０３０２】
また，タグ９０１のうち「ｓｔａｒｔ＝“２００３／１０／３：００：００：００”ｅｎｄ＿ｔｉｍｅ＝“２００３／１２／２５：００：００：００”」は，ひも付けメタ情報の有効期限を示している。
【０３０３】
上記ひも付けメタ情報の有効期限のうち，「ｓｔａｒｔ＝“２００３／１０／３：００：００：００”」は，「２００３／１０／３：００：００：００（２００３年１０月３日００時００分００秒）」などのように開始日時を示し，「ｅｎｄ＿ｔｉｍｅ＝“２００３／１２／２５：００：００：００”」は，「２００３／１２／２５：００：００：００」などのように，終了日時を示しているが，かかる有効期限の表記形式または日時に限定されない。例えば，相対的な日数または時間などの場合であってもよい。
【０３０４】
上記ひも付けメタ情報の有効期限を設定することで，ひも付けメタ情報を利用者端末装置１０７が参照し，ひも付けメタ情報に設定された関連する番組メタ情報またはコンテンツメタ情報に対するアクセスを制御することができる。なお，有効期限が過ぎたひも付けメタ情報を参照し，関連付けられたメタ情報にアクセスする場合は，利用者端末装置１０７に再度，課金徴収する，もしくは改めて利用するための契約を結ぶなどの手段を例示することができる。
【０３０５】
さらに，タグ群９０２は，複数のタグ・属性等から構成されており，各タグは，ひも付けられた番組メタ情報またはコンテンツメタ情報を示している。図１０に示すように，「ｌｉｎｋ＿ｐｒｏｇｒａｍ  ｉｄ」は，ひも付けメタ情報内で番組メタ情報またはコンテンツメタ情報ごとに一意になるように割当てられる識別子である。
【０３０６】
「ｐｒｏｇｒａｍ＿ｉｄ」は，上述の通り，番組メタ情報を識別する番組メタ情報ＩＤである。また，「ｃｏｎｔｅｎｔ＿ｉｄ」は，上述の通り，コンテンツメタ情報ＩＤを示している。
【０３０７】
したがって，ひも付けメタ情報における上記番組メタ情報ＩＤまたはコンテンツメタ情報ＩＤを参照することで，ひも付けられた番組メタ情報またはコンテンツメタ情報を取得（または，獲得，アクセス）することが可能となる。
【０３０８】
さらに，「ｇｅｎｒｅ」の属性は，番組またはコンテンツのジャンルを示している。例えば，図１０に示すように，「ショッピング」，「スポーツ」，「ＤＶＤ」，「出版」などのジャンルを例示することができる。
【０３０９】
なお，本実施の形態にかかるひも付けメタ情報のデータ構造は，ＸＭＬ形式の場合を例に挙げて説明したが，かかる例に限定されず，例えば，ひも付けメタ情報のデータ構造は，ＨＴＭＬ（Ｈｙｐｅｒ  Ｔｅｘｔ  Ｍａｒｋｕｐ  Ｌａｎｇｕａｇｅ）形式などの場合であっても実施可能である。
【０３１０】
また，本実施の形態にかかるひも付けメタ情報のタグ内に記載された属性名等は，属性の定義等を行うことで，いかなる名前をつけること場合であっても実施可能である。
【０３１１】
ここで，本実施の形態にかかる“選択”とは，例えば入力部であるマウスのクリックや，ボタンの押下により番組コンテンツ要素が指定された状態や，マウスカーソルなどがその番組メタ情報等の表示の上に合わせている状態（ｏｎＭｏｕｓｅ），またはリモコン操作等により選択するための枠（カーソル）がその番組メタ情報等の表示領域上に表示されている状態，などを含む。
【０３１２】
（４．  番組情報処理システム１００に係る動作）
次に，本実施の形態にかかる番組情報処理システムに適用された各動作について説明する。
【０３１３】
（４．１  番組メタ情報登録処理）
次に，図１５等を参照しながら，上記のように構成された情報提供システム１００における，番組メタ情報の登録処理の動作の実施形態について説明する。図１５は，本実施の形態にかかる番組メタ情報を登録する動作の概略を示すフローチャートである。
【０３１４】
まず，番組登録端末装置１２９の表示画面に番組メタ情報加工画面を表示する（Ｓ１５０１）。制御部２０３が番組設定アプリケーションを起動すると，表示部２１１に上記番組メタ情報加工画面が表示される（Ｓ１５０１）。
【０３１５】
次に，番組登録端末装置１２９は，番組メタ情報が新規作成か，既に作成した番組についての番組メタ情報の読み込みかを判断する（Ｓ１５０３）。上記判断は，放送局ユーザによる入力部２０７の操作によって決定される。
【０３１６】
ここで，図１６を参照しながら，本実施の形態にかかる番組メタ情報加工画面について説明する。図１６は，本実施の形態にかかる番組メタ情報加工画面の概略的な構成を示す説明図である。
【０３１７】
図１６に示すように，番組メタ情報加工画面は，垂直方向の破線によって区分されるように番組概要と，放送日日程と，詳細設定と３つの表示領域から構成される。なお図１６に示す番組メタ情報加工画面には，ＸＸＸ放送局のＹＹＹ番組に関する番組メタ情報が表示された場合を例に挙げて説明するが，かかる例に限定されない。
【０３１８】
また，番組メタ情報加工画面の表示と共に，年月日等の日時情報を表示するための画面である年月日画面（カレンダー画面）も，表示部２１１に表示される。
【０３１９】
上記番組概要の表示領域には，番組メタ情報のうち，概要情報が表示される。放送日時情報の表示領域には，１又は２以上の番組の放送日時が設定された放送日時情報が表示される。例えば，連続ドラマの番組の場合，複数回放送される全ての設定された放送日時が表示される。設定された放送日時情報が上記放送日設定の表示領域に表示される。なお，図１６に示すように，“２００３／８”は，２００３年８月に放送される日付がアイコン表示（７日，１４日，２１日・・・）されている。
【０３２０】
詳細情報の表示領域には，例えば連続ドラマの番組のうち，ある回の番組に関する詳細情報が表示される。図１６に示す詳細設定には，２００３年９月３０日に放送される番組の詳細情報が表示されている。
【０３２１】
次に，図１５に示すように，番組メタ情報の新規作成の場合，番組メタ情報を登録するために，一般ユーザから，まず番組情報の入力を受け付ける。まずは，概要情報の入力を受け付ける（Ｓ１５０５）。例えば，放送局名，番組等の番組情報が入力部２０７によって図１６に示す番組概要等に入力される。まだ，番組概要に入力された情報自体は番組メタ情報ではないが，番組メタ情報がその場で作成されても良い。
【０３２２】
また既に登録され，作成された番組メタ情報の場合，該当する番組メタ情報を選択し，記憶部２０１の番組メタ情報ＤＢ又は，サービス提供装置１１１の番組メタ情報ＤＢから取得後，表示部２１１の「番組概要」の表示領域に表示する（Ｓ１５０７）。
【０３２３】
次に，概要情報，放送日時情報，または選択された放送日時の詳細情報の各情報を図１６に示す各表示領域に表示する（Ｓ１５０９）。なお，上記概要情報，放送日時情報，または選択された放送日時の詳細情報は，記憶部２０１に割当てられた番組メタ情報ＤＢまたはネットワーク１０３を介してサービス提供装置１１１の番組メタ情報ＤＢから呼び出される。特にネットワーク１０３を介さず取得可能なため，記憶部２０１の番組メタ情報ＤＢから呼び出したほうがより，処理効率が向上し，通信コスト等も減少する。
【０３２４】
次に，上記図１６に示す３つの表示領域のうち，適当な情報を編集する。まず，概要情報について訂正などの編集する場合，番組メタ情報加工画面の番組概要の表示領域に表示された情報を入力部２０７で入力・設定することができる（Ｓ１５１１）。なお，設定できる情報は，テキストに限定されず，図１６に示す「静止画」のように静止画，その他には動画や，音声なども設定することが可能である。これは，概要情報に限らず，詳細情報も同様に設定可能である。
【０３２５】
上記設定された後，番組概要の表示領域の下部に表示された「更新」ボタンが入力部２０７によって押下されると，番組概要の概要情報が更新される（Ｓ１５１３）。なお上記更新は，番組メタ情報が更新されるわけではなく，上記番組メタ情報加工画面に表示された情報が更新されるだけである。つまり表示画面の情報が更新されることを示すが，かかる例に限定されず，番組メタ情報が更新されても良い。
【０３２６】
次に，放送日時の設定をする（Ｓ１５１５）。上記放送日時の設定（Ｓ１５１５）のうち，放送日追加（Ｓ１５１７）は，図１６に示す放送日情報の表示領域に，カレンダー画面に表示された「日」アイコンをドラッグ・アンド・ドラッグ（Ｄ＆Ｄ），コピー・アンド・ペースト（Ｃｏｐｙ＆Ｐ），カット・アンド・ペースト（Ｃｕｔ＆Ｐ）などをすることで，放送日の追加をすることができる。
【０３２７】
例えば，図１６に示すカレンダー画面の「日」アイコンのうち，黒色太線の“３０日”の「日」アイコンを選択し，そのまま矢印１６０１に示すように“２００３／９”の破線で囲まれた放送日情報の表示領域にＤ＆Ｄすれば，図１６に示すように“３０日”の放送日を追加することができる。
【０３２８】
上記放送日の追加は，カレンダー画面の表示領域と放送日情報の表示領域との間でＤ＆Ｄ等によって発生する付加指示情報を情報付加部２１７が受信することで，カレンダー画面に表示された「日」を放送日として，放送日情報の表示領域に追加することが出来る。
【０３２９】
なお，上記放送日の追加（Ｓ１５１７）は，カレンダー画面に表示された「日」アイコンを一つ選択し，放送日時情報の表示領域にＤ＆Ｄする場合のほかに，複数の「日」アイコンを一括して選択し，放送日情報の表示領域にＤ＆Ｄすることで，一度に放送日を追加することができる。例えば，図１６に示す黒色細線の矩形で毎週火曜日の「日」アイコンを一括して選択することで，一度に放送日を追加することができる。なお，本実施の形態にかかる放送日時情報の追加は，放送日情報（日にち）のみの追加について説明したが，かかる例に限定されず，例えば，放送時間情報などを追加する場合も日にちと同様にアイコン表示して追加する場合等であっても実施可能である。
【０３３０】
次に，追加した放送日の詳細情報の設定を，図１６に示す詳細情報の表示領域に，入力部２０７を用いて行う。設定後，上記詳細情報の表示領域の下部に表示された「更新」ボタンをクリック等すると，更新処理が行われ，番組概要と同じように，表示画面上の情報が更新される（Ｓ１５１９）。
【０３３１】
次に，放送日の削除をする場合，放送日情報の表示領域に表示された「日」アイコンを表示して，例えばマウスの右クリック等により削除することができる（Ｓ１５２１）。さらに，放送日の追加をする場合と同様に，「日」アイコンを複数選択し，一括して放送日の削除をすることもできる。
【０３３２】
上記削除した放送日にかかる詳細情報が入力されていた場合，表示場面に詳細情報を削除しても良いか等の旨の確認画面を表示し，詳細情報を削除する（Ｓ１５２３）。なお，上記削除は，表示画面上の詳細情報が削除されるが，かかる例に限定されず，番組メタ情報の詳細情報が削除されても良い。
【０３３３】
次に，番組詳細の表示領域に表示された詳細情報を設定する（Ｓ１５２５）場合，番組詳細の表示領域に入力部２０７に情報を入力し，設定する。上記設定を各番組全てにするのは処理上非効率であるため，別の番組の詳細情報からコピーすることもできる。
【０３３４】
図１６に示すように，例えば，“２００３／８”の放送日情報の表示領域に表示された“７日”の「日」アイコンを，“２００３／９”の放送日情報の表示領域に表示された“３０日”の「日」アイコンにＤ＆Ｄ等することで，上記“７日”の詳細情報を“３０日”の詳細情報にコピーできる。
【０３３５】
上記コピーは，放送日情報の表示領域間でＤ＆Ｄ等によって発生するコピー指示情報を情報付加部２１７が受信することで，詳細情報をコピーすることができる。
【０３３６】
上記各表示領域の設定・更新が終了すると，番組メタ情報生成部２１３は，表示画面上に設定された番組情報に基づき，更新後の番組メタ情報を生成する（Ｓ１５２７）。ここで，不要な詳細情報等の情報も削除される。さらに放送局ユーザから入力部２０７を介して，登録の指示があると，登録指示部２０９は，生成された番組メタ情報をサービス提供装置１１１に登録するよう要求する。このとき，番組メタ情報は，番組メタ情報蓄積部２１９によって番組メタ情報ＤＢに更新される。ネットワーク１０３を介してサービス提供装置１１１に送信されると，サービス提供装置１１１に備わる番組メタ情報登録部２６５は，番組メタ情報ＤＢに更新後の番組メタ情報を書き込みする（Ｓ１５２７）。なお更新前の番組メタ情報は，上書きされてもよいし，そのまま残されても良い。
【０３３７】
上記番組メタ情報が登録される（Ｓ１５２７）と，本実施の形態にかかる番組メタ情報の登録処理の一連の動作は終了する。
【０３３８】
次に，図１７を参照しながら，本実施の形態にかかる詳細情報の複製処理（コピー処理）の動作の変形例について説明する。図１７は，本実施の形態にかかる番組情報処理システムに適用された詳細情報のコピー処理の概略を示すフローチャートである。
【０３３９】
図１７に示すように，まず番組登録端末装置１２９の表示部２１１の表示画面に番組メタ情報加工画面を表示する（Ｓ１７０１）。なお，Ｓ１７０１は，上記説明のＳ１５０１とほぼ同様であるため詳細な説明は省略する。
【０３４０】
次に，番組登録端末装置１２９は，番組メタ情報が新規作成か，既に作成した番組についての番組メタ情報の読み込みかを判断する（Ｓ１７０３）。上記判断は，放送局ユーザによる入力部２０７の操作によって決定される。
【０３４１】
次に，図１７に示すように，番組メタ情報の新規作成の場合，番組メタ情報を登録するために，一般ユーザから，まず番組情報の入力を受け付ける。まずは，概要情報の入力を受け付ける（Ｓ１７０５）。例えば，放送局名，番組等の番組情報が入力部２０７によって図１６に示す番組概要等の表示領域に入力される。まだ，番組概要に入力された情報自体は番組メタ情報ではないが，番組メタ情報が入力のタイミングで作成されても良い。
【０３４２】
また既に登録され，作成された番組メタ情報の場合，該当する番組メタ情報を選択し，記憶部２０１の番組メタ情報ＤＢ又は，サービス提供装置１１１の番組メタ情報ＤＢから取得後，表示部２１１の「番組概要」の表示領域に表示する（Ｓ１７０７）。
【０３４３】
次に，概要情報，放送日時情報，または選択された放送日時の詳細情報の各情報を図１６に示す各表示領域に表示する（Ｓ１７０９）。なお，上記概要情報，放送日時情報，または選択された放送日時の詳細情報は，記憶部２０１に割当てられた番組メタ情報ＤＢまたはネットワーク１０３を介してサービス提供装置１１１の番組メタ情報ＤＢから呼び出される。特にネットワーク１０３を介さず取得可能なため，記憶部２０１の番組メタ情報ＤＢから呼び出したほうがより，処理効率が向上し，通信コスト等も減少する。
【０３４４】
次に，既に設定済みの詳細情報を，未設定である詳細情報にコピー処理（Ｓ１７１１）をする。詳細情報のコピー処理をするためには，詳細情報が設定されている放送日を選択し，詳細情報が未設定である放送日にＤ＆Ｄ等する。
【０３４５】
例えば，図１６に示すように，“２００３／８”の放送日情報の表示領域に表示された“７日”の「日」アイコンを，“２００３／９”の放送日情報の表示領域に表示された“３０日”の「日」アイコンに，矢印１６０２に示すように，Ｄ＆Ｄ等することで，上記“７日”の詳細情報を“３０日”の詳細情報にコピーできる。
【０３４６】
上記コピー処理（Ｓ１７１１）が実行されると，選択したコピー元の詳細情報がコピー先の未設定の詳細情報に設定され（Ｓ１７１３），本実施の形態にかかる詳細情報設定処理の一連の動作が終了する。
【０３４７】
次に，図１８を参照しながら，本実施の形態にかかる放送日の追加処理の変形例について説明する。図１８は，図１７に示す放送日の追加処理の変形例の概略を示す説明図である。
【０３４８】
図１８に示すように，まず番組登録端末装置１２９の表示画面に番組メタ情報加工画面を表示する（Ｓ１８０１）。なお，Ｓ１８０１は，上記説明のＳ１５０１とほぼ同様であるため詳細な説明は省略する。
【０３４９】
次に，番組登録端末装置１２９は，番組メタ情報が新規作成か，既に作成した番組についての番組メタ情報の読み込みかを判断する（Ｓ１８０３）。上記判断は，放送局ユーザによる入力部２０７の操作によって決定される。
【０３５０】
次に，図１８に示すように，番組メタ情報の新規作成の場合，番組メタ情報を登録するために，一般ユーザから，まず番組情報の入力を受け付ける。まずは，概要情報の入力を受け付ける（Ｓ１８０５）。例えば，放送局名，番組等の番組情報が入力部２０７によって図１６に示す番組概要等に入力される。まだ，番組概要に入力された情報自体は番組メタ情報ではないが，番組メタ情報がその場で作成されても良い。
【０３５１】
また既に登録され，作成された番組メタ情報の場合，該当する番組メタ情報を選択し，記憶部２０１の番組メタ情報ＤＢ又は，サービス提供装置１１１の番組メタ情報ＤＢから取得後，表示部２１１の「番組概要」の表示領域に表示する（Ｓ１８０７）。
【０３５２】
次に，概要情報，放送日時情報，または選択された放送日時の詳細情報の各情報を図１６に示す各表示領域に表示する（Ｓ１８０９）。
【０３５３】
次に，表示部２１１に表示された番組メタ情報加工画面のうち番組の放送日を追加するため，図１６に示すように，カレンダー画面を表示する（Ｓ１８１１）。なお，本実施の形態にかかるカレンダー画面は，上記説明したのとほぼ同様であるため，詳細な説明は省略する。
【０３５４】
表示されるカレンダー画面は，例えば「日」アイコンなど，何も選択されていない状態で表示部２１１に表示される（Ｓ１８１３）。
【０３５５】
次に，カレンダー画面が表示されると，追加したい放送日として，例えばマウスの左ボタンなどの入力部２０７で，カレンダー画面に表示された「日」アイコンを選択する（Ｓ１８１５）。
【０３５６】
なお，１又は２以上の「日」アイコンが選択された状態で，例えば，マウスの右ボタンをクリックすると，メニュー画面（図示せず。）が表示され，上記選択された「日」アイコンと同じ曜日の「日」を１月単位などで選択したり，または選択した「日」アイコンを解除することができる。
【０３５７】
全て追加する放送日が選択されると，上記メニュー画面に表示された「更新」ボタン（図示せず。）がクリック等により押下される（Ｓ１８１５）。
【０３５８】
次に，上記「更新」ボタンが選択されると（Ｓ１８１５），詳細情報には何も情報が設定されていない放送日が，図１６に示す放送日情報の表示領域に，「日」アイコンとして表示される（Ｓ１８１７）。
【０３５９】
なお，上記追加された放送日の詳細情報は，「日」アイコンを選択すると，図１６に示す詳細情報の表示領域に空の状態で表示され，上記表示領域に詳細情報を設定する（Ｓ１８１７）。
【０３６０】
詳細情報が設定されると（Ｓ１８１７），本実施の形態にかかる放送日の追加処理の一連の動作が終了する。
【０３６１】
上記番組メタ情報が登録されると，その直後から番組単位で，コンテンツ提供会社１０４に備わるコンテンツ提供端末装置１１３は，コンテンツメタ情報を関連付けることができる。
【０３６２】
関連付け設定アプリケーションを活用し，コンテンツユーザによる入力部２４１を介して画面表示要求されることで，コンテンツ提供端末装置１１３の表示部２３７には，図１９に示すように，番組メタ情報の登録状況画面が番組表形式で表示される。
【０３６３】
図１９に示す番組メタ情報の登録状況画面は，２００３年１２月１日に放送される予定の番組の番組メタ情報の登録状況であり，各局の番組をタイムスケジュール的に番組枠を割当て表示している。
【０３６４】
すでに番組メタ情報が登録された番組枠には，番組タイトルである番組名のほか，番組の概要情報など適当な情報が表示される。図１９に示すように，番組枠内にグレー色の網掛け表示されているのが登録された番組を示す。さらに，既にコンテンツメタ情報が関連付けられた番組枠，つまりサービスが設定された番組には，コンテンツメタ情報を象徴するアイコン１６０が表示される。
【０３６５】
アイコン１６０は，番組ごとに対応付けられているカテゴリを象徴する表示形態であれば，アイコンであることに限定されない。例えば，リンクがはられたテキストや，シンボル，指標等の場合であっても実施可能である。なお，本実施の形態にかかるアイコン１６０は，番組ごとに対応付けられているカテゴリを象徴する表示形態であれば，アイコンであることに限定されない。例えば，リンクがはられたテキストや，シンボル，指標等の場合であっても実施可能である。
【０３６６】
なお，図１９に示す番組枠には，アイコン１６０が１つしか表示されない場合を例に挙げて説明したが，かかる例に限定されない。例えば，番組枠には，コンテンツメタ情報のジャンル，カテゴリなどの種類に応じて，複数のアイコン１６０が表示される場合などでも実施できる。
【０３６７】
番組枠に１つもアイコン１６０が表示されない場合は，番組メタ情報が登録されたが，依然とコンテンツメタ情報が関連付けられていない状況であることを示す。したがって，コンテンツユーザは，表示部２４１に表示される登録状況について，どの番組にはコンテンツメタ情報が関連付けられ，または関連付けられない番組はどれであるのかを，把握することが容易となる。
【０３６８】
図１９に示す番組メタ情報の登録状況画面は，放送日を指定することで，その放送日に放送される番組全てが番組表として表示されるが，放送日及び放送時間までを指定して，さらに絞り込んだ，番組メタ情報の登録状況画面を表示することもできる。
【０３６９】
入力部２４１によって，放送日及び放送時間が指定されると，図２０（ａ）に示すように，サービス提供装置１１１の番組メタ情報抽出部２６７は，登録された番組メタ情報の番組枠のうち，上記指定された放送日と放送時間に該当する番組枠のみ抽出する。
【０３７０】
抽出された番組メタ情報は，コンテンツ提供端末装置１１３に送信されると，図２０（ｂ）に示すように，リスト形式に一列に番組メタ情報が表示される。リスト形式に表示された番組枠には，上記説明したようにコンテンツメタ情報が関連付けられた場合，アイコン１６０が表示される。なお，図２０に示す画面にはアイコン１６０が１つ表示される場合を例に挙げて説明したが，かかる例に限定されず，複数の場合でもよい。
【０３７１】
なお，図２０（ｂ）に示す番組メタ情報の表示対象となる，指定の放送日と放送時間は“２００３年１２月１日”の“１９：００から２０：００”である。図２０は，図１９に示す本実施の形態にかかる番組メタ情報の登録状況画面の変形例である。また，図２０に示す番組メタ情報の検索処理については，後程詳述する。
【０３７２】
コンテンツユーザは，表示部２３７に表示される番組メタ情報の登録状況画面から，コンテンツ提供端末装置１１３に記憶されるコンテンツメタ情報を関連付ける番組を見つけると，入力部２４１の右クリック等によってメニュー画面（図示せず。）を表示し，“カレンダー画面表示”を選択すると，制御部２３９は，関連付け設定アプリケーションを活用し，表示部２３７にカレンダー画面を表示する。なお，カレンダー画面については上記説明したのとほぼ同様であるため詳細な説明は省略する。
【０３７３】
したがって，表示部２３７には，図２１に示すようにカレンダー画面が，まず表示される。次に，コンテンツユーザは，入力部２４１を介して，関連付ける番組の放送日に相当する日を，上記カレンダー画面に表示された「日」アイコンで選択する。
【０３７４】
例えば，図８に示すように，放送日に相当する日が２００３年９月３０日の場合，「日」アイコンは“３０”日が入力部２４１によって選択される。すると，制御部２３９は，関連付け設定アプリケーションを活用し，サービス提供装置１１１に対して，上記“３０”日に放送予定の番組メタ情報を要求する。
【０３７５】
コンテンツ提供端末装置１１３がサービス提供装置１１１から該当する番組メタ情報を受信すると，表示部２３７に上記番組メタ情報を表示する。なお，図２１に示すように，番組メタ情報が表示される表示領域２１０１には，番組メタ情報のうち放送局名と，番組名のみが表示される場合を例に挙げて説明するが，かかる例に限定されず，番組メタ情報に含まれるその他の情報についても表示可能である。
【０３７６】
次に，図２１に示すように，表示画面２１０１の“ＹＹＹ局  ２２２２２”の番組が関連付ける対象として選択されると，表示画面２１０３が表示される。上記表示画面２１０３には，番組の概要情報や，詳細情報などが表示され，さらに放送局１０２側が予め番組メタ情報に，関連付け可能なコンテンツメタ情報の条件が設定されている。図２１に示すように，例えば，コンテンツ関連付けに対する条件は，“車メーカーは対象外”などである。上記条件は，条件１，条件２，・・・などのように複数設定できる。
【０３７７】
さらに，「関連設定」ボタンが選択されると，コンテンツメタ情報の選択画面（図示せず。）が表示部２３７に表示され，コンテンツメタ情報を選択することができる。コンテンツメタ情報が選択されると，コンテンツメタ情報の内容を表示する表示画面２１０５が表示部２３７に表示される。
【０３７８】
表示画面２１０５には，コンテンツ実体に関する詳細情報や，コンテンツ実体を購入などする場合のリンク情報等が表示され，上記関連付け元となる番組メタ情報に予め設定された関連付けに対する条件のクリア状況（条件１，条件２，条件３，・・・）が表示される。
【０３７９】
上記クリア状況が全て“ＯＫ”の場合，制御部２３９は，関連付けアプリケーションを活用し，ひも付けメタ情報を生成し，サービス提供装置１１１に上記コンテンツメタ情報とひも付けメタ情報を格納するため送信する。さらに，図２１に示す表示画面２１０３にアイコン１６０を表示する。
【０３８０】
サービス提供装置１１１は，コンテンツ提供端末装置１１３からコンテンツメタ情報とひも付けメタ情報が送信されると，双方のメタ情報を番組メタ情報ＤＢまたはコンテンツメタ情報ＤＢ（図示せず。）等に格納する。
【０３８１】
番組単位で，コンテンツメタ情報と番組メタ情報との関連付け処理が終了すると，放送局１０２による最終確認が行われると，番組表として一般ユーザに提供される際には，番組メタ情報とともにコンテンツメタ情報を提供することができる。
【０３８２】
以上から，コンテンツ提供会社１０４は，番組単位に番組メタ情報の登録とともに，コンテンツメタ情報を関連付けることができるため，表示画面に表示される適当な番組メタ情報を参照することで，迅速かつ効率的に関連付け処理を行うことができる。
【０３８３】
また，関連付けが未だされていない番組など，一般ユーザに少しでも多くの時間目に止まるように，コンテンツ提供会社の目的に適う番組にコンテンツメタ情報を関連付けることができる。
【０３８４】
各放送局１０２に備わる番組登録端末装置１２９によって，上記説明の通り，番組メタ情報が登録され，さらに各コンテンツ提供会社１０４に備わるコンテンツ提供端末装置１１３によって，番組メタ情報にコンテンツメタ情報が関連付けられる。
【０３８５】
上記関連付けられた番組メタ情報については，図２に示すように，登録元の放送局１０２の放送局ユーザが番組登録端末装置１２９によって，最終確認処理が行われる（処理工程３）。
【０３８６】
上記最終確認処理は，番組メタ情報に関連付けられたコンテンツメタ情報が，当初番組メタ情報を登録する際に，設定した条件を満たすか否かをチェックする処理である。具体的には，利用アプリケーションまたは番組設定アプリケーションを起動し，表示部２１１に番組メタ情報最終確認画面（図示せず。）を表示した上で，番組登録端末装置１２９の放送局ユーザが入力部２０７によって最終確認の対象となる番組メタ情報を選択する。
【０３８７】
番組メタ情報が選択されると，サービス提供装置１１１に格納された番組メタ情報とコンテンツメタ情報とが，ネットワーク１０３を介して番組登録端末装置１２９に送信され，番組メタ情報最終確認画面に表示される。なお，例えば，複数の番組メタ情報が選択された場合，複数の番組メタ情報とコンテンツメタ情報とが番組登録端末装置１２９に送信される。
【０３８８】
番組メタ情報最終確認画面には，選択された番組メタ情報とコンテンツメタ情報とが表示されるが，番組メタ情報を登録する際に設定した条件を満たしている場合は，特段何も表示されない又は“正常”である旨の表示がされる。なお，例えば，上記番組メタ情報に設定される条件情報は，番組メタ情報に付加される場合でもよく，または条件情報を単独で記憶管理する場合でもよい。
【０３８９】
また，番組メタ情報最終確認画面に表示されるコンテンツメタ情報が，上記設定した条件を満たさない場合は，番組メタ情報最終確認画面には，“条件エラー”である旨の表示がされる。なお，条件を満たしているか否かのチェックは，例えば，サービス提供装置１１１に備わる番組メタ情報抽出部２６７等が抽出時にチェックする等の場合を例示することができるが，かかる例に限定されない。
【０３９０】
放送局ユーザは，上記表示部２１１に表示される番組メタ情報最終確認画面を通して，番組メタ情報に関連付けられたコンテンツメタ情報について，上記チェック結果を参考にしながら，確認できるため，迅速的に，効率的に最終確認できる。確認後，放送局ユーザは，入力部２０７を用いて，「チェック済み」ボタンを選択する。
【０３９１】
さらに，放送局ユーザは，コンテンツメタ情報が関連付けられた番組メタ情報を，各放送局が放送する１日の全番組単位などではなく，各番組単位に選択し，最終確認ができるため，確認処理を分散して行えるため，時間を有効的に使用することができる，または端末装置等に処理の集中的負荷がかかるのを低減できる。
【０３９２】
コンテンツユーザは，上記放送局ユーザによる最終確認処理の結果を確認することができる。コンテンツユーザは，コンテンツ提供端末装置１１３の表示部２３７の表示画面を介して確認することができる。
【０３９３】
ここで，図２２を参照しながら，本実施の形態にかかるコンテンツ提供端末装置の表示部に表示される表示画面について説明する。図２２は，本実施の形態にかかるコンテンツ提供端末装置の表示部の表示画面の概略を示す説明図である。
【０３９４】
図２２に示すように，表示部２３７に表示される表示画面には，カレンダー画面と，表示画面２３０１と，表示画面２３０２と，表示画面２３０３とが少なくとも含まれる。なお，例えばカレンダー画面等の画面は，表示部２３７に表示される表示画面全体のうち一部の領域に表示される画面とする。
【０３９５】
コンテンツユーザが入力部２４１を用いて，表示画面の表示を要求すると，まず，制御部２３９は，関連付け設定アプリケーションを起動し，初期画面の表示処理を実行する。
【０３９６】
表示部２３７に初期画面が表示されると，図２２に示すカレンダー画面だけが，まず表示されている。なお，カレンダー画面については，上記説明したのと，ほぼ同様な構成であるため詳細な説明は省略する。
【０３９７】
カレンダー画面が表示された状態から，入力部２４１で，適当な年，月を“▲”又は“▼”のアイコンでクリック等により選択する。さらに，日を選択するため，日付の数字が表記された「日」アイコンを選択する。なお，「日」アイコンが選択されると，例えば，図２２に示す「日」アイコンの“３０”日のように黒色太線の枠等で囲まれる。
【０３９８】
カレンダー画面を介して，年月日からなる放送日が選択されると，さらに放送選択画面（図示せず。）から放送時間を選択すると，表示画面２３０１に選択された番組メタ情報の概要情報等の情報が表示される。なお，上記表示画面２３０１は，上記説明した表示画面２１０３とほぼ同様の構成であるため詳細な説明は省略する。
【０３９９】
次に，表示画面２３０１に表示されたアイコン１６０をクリック等で選択すると，例えば，アイコン１６０のジャンルに対応するような番組メタ情報に関連付けられたコンテンツメタ情報が表示画面２３０２に表示される。
【０４００】
表示画面２３０２には，出版物のジャンルに関するアイコン１６０に対応するコンテンツメタ情報のタイトル名等が表示されている。なお，表示画面２３０２に表示された“■”は既に放送局１０２によって最終確認されたことを示し，“□”は未チェックであることを示す。
【０４０１】
図２２に示すように，表示画面２３０２に表示されたコンテンツメタ情報のタイトル名等を選択すると，上記選択されたコンテンツメタ情報の内容が表示画面２３０３に表示される。例えば，表示画面２３０２の“ＸＸＸ出版”が選択されると，表示画面２３０３には，関連付けられた上記ＸＸＸ出版のコンテンツメタ情報が表示される。
【０４０２】
表示部２３０３には，関連付けられたコンテンツメタ情報の表示の他に，放送局１０２側から，コンテンツメタ情報が番組メタ情報に関連付けられるのを，正式に許可されたのか，又は不許可であるのかを，「許可する」アイコン，「許可しない」アイコンで表わす。
【０４０３】
例えば，「許可する」アイコンのみ，表示される色が反転したり，点滅したり，輝度が高くなったりした場合，コンテンツメタ情報が放送局１０２側で許可されたことを意味する。反対に，例えば，「許可しない」アイコンのみ，表示色が真っ黒，真っ白であったり，輝度が低く暗かったりした場合，コンテンツメタ情報は，放送局１０２側で許可されなかったことを表わす。
【０４０４】
したがって，コンテンツユーザは，放送局１０１による関連付けの最終確認の期間が終了したら，関連付け設定アプリケーションで番組情報に対する関連付けが許可されたか否かを，効率的に確認することができる。なお，関連付けの最終確認の期間前であっても確認することができるため，番組単位で効率的に最終確認の有無をチェックすることができる。
【０４０５】
また，図２に示すように，各放送局１０２に備わる番組登録端末装置１２９によって，上記説明の通り，番組メタ情報の最終確認が終了すると，企画会社１０５の企画ユーザが番組確認端末装置１２１によって，番組表の構成を許可するための事前整備処理が行われる（処理工程４）。
【０４０６】
上記事前整備処理は，一般ユーザに番組表等のサービスを提供する前に，企画会社１０５に属する企画ユーザ側で提供前に番組メタ情報，コンテンツメタ情報を確認し，番組表の構成を許可する処理等である。
【０４０７】
ここで，図２３を参照しながら，本実施の形態にかかる事前整備処理について説明する。図２３は，本実施の形態にかかる事前整備処理の動作の概略を示すフローチャートである。
【０４０８】
図２３に示すように，まず番組確認端末装置１２１の表示画面にサービス管理画面を表示する（Ｓ２２０１）。なお，上記サービス管理画面は，制御部２２５がサービス管理アプリケーションを起動すると，表示部２１１に表示される（Ｓ２２０１）。
【０４０９】
次に，企画ユーザは入力部２２９を通じて，例えば“ＸＸＸＸ年ＸＸ月ＸＸ日”など，確認したい番組表の日付を選択する（Ｓ２２０３）。日付が選択されると，番組メタ情報取得部２２７は，サービス提供装置１１１に上記番組メタ情報および関連付けられたコンテンツメタ情報等の情報を要求する。
【０４１０】
次に，番組確認端末装置１２１は，ネットワーク１０３を介して送信される上記要求した番組メタ情報を番組単位で１件ずつ読み込む（Ｓ２２０５）。ここで，サービス提供装置１１１から送信完了のフラグ等が送信された場合，番組確認端末装置１２１の通信部２３３は受信を完了する。
【０４１１】
次に，番組メタ情報またはコンテンツメタ情報を１件ずつ読み込むと（Ｓ２２０５），一覧表のレイアウトに従い，上記番組メタ情報を適当な位置に設定する（Ｓ２２０７）。例えば，一覧表のレイアウトとしては，横軸を放送局として，縦軸を時間とした番組表のレイアウト等を例示することができる。
【０４１２】
一覧表に設定する番組の番組メタ情報が全て読み込まれるまで，上記Ｓ２２０５，Ｓ２２０７が繰り返し実行され，すべての番組メタ情報が読み込まれると，一覧表に設定された番組に関する番組メタ情報と，番組メタ情報に関連付けられたコンテンツメタ情報の登録状況を表示部２２１に表示する（Ｓ２２０９）。
【０４１３】
ここで，表示部２２１に表示される一覧表について，図２４を参照しながら説明する。図２４は，本実施の形態にかかる番組確認端末装置１２１の表示部に表示されるサービス管理画面の概略を示す説明図である。
【０４１４】
図２４に示すように，サービス管理アプリケーションの起動でサービス管理画面が表示され，さらに放送日に該当する番組メタ情報を読み込むことで，一覧表が表示部２２１に表示される。なお，番組表の番組枠に表示されたアイコン１６０は，単数の場合に限らず，複数の場合でも実施可能である。
【０４１５】
一覧表には，複数の放送局を横軸に，縦軸を時間帯として，番組枠が割当てられ，上記番組枠には，該当する番組メタ情報が設定されている。一覧表に表示される番組メタ情報の表示は，ステータス情報に応じて，表示部２２１に制御される。
【０４１６】
図２４に示す一覧表のように，番組メタ情報の状況に応じて，番組メタ情報の表示を制御するためのステータス情報は，ステータス１〜ステータス４から構成される。例えば，ステータス１はコンテンツメタ情報を関連付けることが可能な状態であることを示し，ステータス２は番組メタ情報が未登録である状態を示し，ステータス３は放送局１０２による最終確認が終了している状態であることを示し，ステータス４はコンテンツメタ情報の関連付け可能な期間が終了した状態であることを示している。
【０４１７】
なお，本実施の形態にかかるステータス情報は，ステータス１〜ステータス４からなる場合を例に挙げて説明したが，かかる例に限定されず，ステータスの数がいくつの場合でもよい。さらに，ステータス情報には，有料のコンテンツメタ情報が関連付けられている状態を示すステータス，または無料のコンテンツメタ情報が関連付けられている状態を示すステータス，知名度／人気のあるコンテンツメタ情報が関連付けられている状態を示すステータスなどが含まれる場合でもよい。
【０４１８】
したがって，表示部２２１が番組メタ情報を表示する際に，ステータス情報に応じて表示を変更するため，各ステータス（ステータス１〜ステータス４）によって，番組メタ情報の表示されるパターンは異なる。なお，本実施の形態にかかる番組メタ情報の表示の制御は，表示色がステータス情報に応じて変更する場合を例に挙げて説明したが，かかる例に限定されず，例えば，番組メタ情報の表示の制御は，番組枠の形状が楕円形状などにステータス情報に応じて変更したり，表示される模様等が変更したりする場合であっても実施することができる。
【０４１９】
また，番組メタ情報ごとに付随するステータス情報は，サービス提供装置１１１に番組メタ情報が登録される際に，予め番組メタ情報に付加されるが，かかる例に限定されず，例えば，ステータス情報は，番組メタ情報の登録の際，予め番組メタ情報が格納される番組メタ情報ＤＢとは別に，ステータス情報ＤＢ（図示せず。）等に個別に番組メタ情報ごとに管理される場合であっても実施することができる。
【０４２０】
なお，本実施の形態にかかる表示部２２１に表示される一覧表は，入力部２２９によるメニュー画面の選択で，一般ユーザに提供する本番用の番組表に切替わることができるため，企画ユーザは，本番を想定した確認を効率的に実行することができる。
【０４２１】
次に，図２３に示すように，登録状況が表示されると（Ｓ２２０９），番組表構成許可部２３１は，関連付けアプリケーションを活用し，図２４に示す一覧表に含まれる番組メタ情報を取り出し（Ｓ２２１１），取り出された番組メタ情報にコンテンツメタ情報が関連付けられているか（関連付けの有無）を確認する（Ｓ２２１３）。
【０４２２】
上記番組メタ情報には，コンテンツメタ情報が関連付けられていない場合（Ｓ２２１３），番組表構成許可部２３１は，一覧表に構成する次の番組メタ情報を取り出す（Ｓ２２１１）。
【０４２３】
また，上記番組メタ情報にコンテンツメタ情報が関連付けられていた場合，番組表構成許可部２３１は，上記番組メタ情報が放送局１０２による最終確認を受けているか否かを番組メタ情報に付随するステータス情報に基づき判断し，最終確認が完了している場合，番組表構成許可部２３１は，上記番組メタ情報について一般ユーザに提供する番組表に組み込む事の同意を得るための許可画面等を表示する。
【０４２４】
ここで，図２５を参照しながら，本実施の形態にかかる番組確認端末装置の表示部に表示される許可画面について説明する。図２５は，本実施の形態にかかる番組確認端末装置の表示部に表示される表示画面の概略を示す説明図である。
【０４２５】
図２５に示すように，表示部２２１に表示される表示画面には，カレンダー画面と，許可画面とが少なくとも含まれる。なお，例えばカレンダー画面または許可画面は，表示部２３７に表示される表示画面全体のうち一部の領域に表示される画面とする。
【０４２６】
上記許可画面には，放送局１０２による最終確認が完了している番組メタ情報の番組名と，以前に発生したエラーが有る場合はそのエラー内容と，一覧表の表示に戻るための「一覧へ戻る」ボタンと，「許可」ボタンと，「不許可」とが，番組ごとに表示される。なお，かかる例に限定されず，如何なる情報を表示する場合でも実施することができる。
【０４２７】
企画ユーザは，上記許可画面が表示部２２１に表示された場合，入力部２２９によって，例えば，許可画面に表示された「許可」ボタンを押下する。なお，前後する番組の番組メタ情報を表示する場合，アイコン２５０１またはアイコン２５０２を選択することで，表示を切替えることができる。
【０４２８】
次に，「許可」ボタンの押下などによって，番組表に構成するのが許可されると，番組表構成許可部２３１は，番組メタ情報に付随するステータス情報のうち番組表許可状況を“許可済”に更新する（Ｓ２２１５）。
【０４２９】
なお，番組メタ情報が放送局１０２側で最終確認が行われていない場合（Ｓ２２１５），番組表構成許可部２３１は，関連付けアプリケーションを活用し，例えば，該当する放送局１０２を送信先とする電子メールを生成し，通信部２３３に送信する。通信部２３３はネットワーク１０３を介して放送局１０２に備わる番組登録端末装置１２９に，リマインダーとしての電子メールを送信する。
【０４３０】
したがって，まだ最終確認が行われていない番組メタ情報について，最終確認をするよう放送局ユーザに促すことが可能となる。
【０４３１】
また，コンテンツメタ情報が関連付けられていない番組メタ情報については，自ら登録した番組メタ情報であるため，許可処理（Ｓ２２１５）が実行されないが，かかる例に限定されず，企画会社１０５側で許可処理する場合であっても実施することができる。
【０４３２】
図２４に示す一覧表に含まれたコンテンツメタ情報が関連付けられた番組メタ情報について許可処理（Ｓ２２１５）が終了すると，サービス提供装置１１１からＷＷＷサーバに転送される。ＷＷＷサーバは，番組メタ情報等の転送直後，または所定の期日に番組表を構成し，一般ユーザに対してサービス提供開始する。
【０４３３】
次に図２６を参照しながら，本実施の形態にかかるコンテンツ提供端末装置１１３により番組メタ情報を検索する検索処理について説明する。図２６は，本実施の形態にかかるコンテンツ提供端末装置１１３の表示部に番組メタ情報を検索する動作の概略を示すフローチャートである。
【０４３４】
図２６に示すように，コンテンツ提供端末装置１１３の制御部２３９は，入力部２４１からの指示により，番組表の表示／検索，番組メタ情報の表示／検索などの処理をするための利用アプリケーションを起動する（Ｓ２６０１）。
【０４３５】
利用アプリケーションが起動すると，コンテンツ提供端末装置１１３の表示部２３７には，番組メタ情報等を検索するための初期画面（図示せず。）が表示される。上記初期画面には，番組メタ情報を検索するために必要な放送日時や，番組メタ情報に含まれるキーワードなどを入力部２４１で入力するための検索情報入力領域が割当てられている。
【０４３６】
検索情報入力領域には，例えば，検索情報を選択するためのチェックボックスまたはラジオボタンなどや，キーワードを入力するための空欄などが表示されている。
【０４３７】
次に，番組が放送される日付と時間が，コンテンツユーザによる操作で，入力部２４１によって指定される（Ｓ２６０３）。例えば，放送日時が“ＸＸＸＸ年ＸＸ月ＸＸ日  ２０：００〜２２：００”等のように指定される。なお，放送日時の他に，例えば，番組メタ情報等のメタ情報に含まれるキーワードを指定する場合でも実施することができる。
【０４３８】
上記番組の放送される日時が指定されると（Ｓ２６０３），コンテンツ提供端末装置１１３は，サービス提供装置１１１に対して該当する番組メタ情報を検索するよう要求する。
【０４３９】
サービス提供装置１１１の番組メタ情報抽出部２６７は，指定された放送日時に該当する番組メタ情報を検索し，抽出する（Ｓ２６０５）。なお，上記番組メタ情報の検索については，図２０（ａ）において説明したのとほぼ同様の構成であるため詳細な説明は省略する。
【０４４０】
検索された番組メタ情報は，ネットワーク１０３を介して，サービス提供装置１１１から，検索要求元のコンテンツ提供端末装置１１３に送信され，記憶部２４５に格納される（Ｓ２６０５）。
【０４４１】
次に，制御部２３９は，予め定められた表示モードに従い，格納された番組メタ情報を表示部２３７に表示させる（Ｓ２６０７）。なお，上記表示モードは，例えばリスト形式に各放送局順に番組を並べて表示するモードや，その他いかなるモードである場合でも実施することができる。
【０４４２】
表示部２３７には，上記説明したように，例えば，図２０（ｂ）に示す番組メタ情報の登録状況画面と，ほぼ同様の画面が表示され，検索された番組メタ情報が一覧表示される。
【０４４３】
コンテンツユーザは，表示部２３７に表示された番組メタ情報を参照し，適当な番組を選択すると，番組メタ情報に係る詳細情報を表示部２３７に表示して，番組のさらに詳細な内容を確認することができる（Ｓ２６０９）。
【０４４４】
また，コンテンツユーザは，表示部２３７に表示された番組メタ情報を参照し，適当な番組を選択すると，番組メタ情報に係る放送日時情報を表示部２３７に表示して，番組の放送される正確な日時を確認することができる（Ｓ２６１１）。
【０４４５】
さらに，別の番組メタ情報の検索する場合は，再度放送日時等の検索情報を設定する必要がある（Ｓ２６０３）。検索しない場合は，本実施の形態にかかる番組メタ情報の検索処理の一連の動作が終了する。
【０４４６】
以上から，本実施の形態にかかる番組情報処理システム１００を適用することで，放送局１０２側には，多種多様な番組メタ情報を直接一般ユーザに提供可能となり，自局の戦略に応じて，他局との優位性を明確にした番組の宣伝ができる。
【０４４７】
また，各番組で、番組メタ情報等を登録するタイミングを自由に決定することができる。そのため、番組の特性に合わせて番組メタ情報を提供できる。例えば，連続番組の長編ドキュメンタリーの場合，番組の放送回数に合わせて段階をおって詳細情報を提供する、またはドラマの場合，放送が終了した番組放送分のあらすじを追加する等がジャンルに応じて自由にできる。
【０４４８】
番組メタ情報を管理／提供するための設備等を，放送局内に構築する必要がなく、番組登録端末装置１２９と番組設定アプリケーションなど所定のアプリケーションがインストールされていれば，設備投資が最小限に抑えながら，サービスを提供できる。
【０４４９】
一般ユーザの利用形態が番組を通じた番組表サービスであるため，利用目的が明確であり、放送局ユーザは，番組メタ情報を登録する方向性を見出しやすい。
【０４５０】
企画会社１０５が提供するレコメンド機能やマイページ機能など、高機能なサービスを提供するため、番組メタ情報を有効活用できる。独自に番組を提供している受託放送事業者等が番組を宣伝しやすくなる。
【０４５１】
放送局１０２に備わる番組登録端末装置１２９は，番組メタ情報でも，放送日時情報をどのタイミングでも番組情報に単独で設定可能であるため，局内の制作サイドで番組を撮影しながら番組情報を入力するなどの処理が容易に可能となる。また、番組情報においても，共通の概要情報と、放送日ごとの詳細情報を独立して管理しているため、放送日ごとに、すべての情報を入力する必要がない。
【０４５２】
また，サービス提供装置１１１または番組登録端末装置１２９は番組メタ情報のうち放送日時情報を独立して管理することが可能であるため、放送日等を入力しなくても，番組の概要情報のみを設定することができる。また，放送日等をアイコン表示することで，スケジュール管理できるため，視覚的にスケジュールを効率よく把握することができる。
【０４５３】
番組登録端末装置１２９等は番組メタ情報の登録等の際に，カレンダー画面と連携をとることで、ユーザ問わず容易に操作できる。さらに，３ヶ月、６ヶ月、１年など長期に渡る放送日の管理も容易にできる。
【０４５４】
さらに，番組登録端末装置１２９等は過去に登録した番組メタ情報を呼び出すことで，再放送の登録をする作業工数を短縮することができる。
【０４５５】
番組の企画内容に合わせ，番組登録端末装置１２９等に対して，番組単位で番組メタ情報を提供する配信スケジュールを自由に指示できる。また、提供する直前まで番組メタ情報等の情報内容を変更・削除・追加などの編集することができる。さらには，放送中であっても番組メタ情報を編集できる。
【０４５６】
また，コンテンツ提供会社１０４側は，放送局１０２と事前に交渉をしなくても、番組メタ情報を有効利用し，自ら保有するコンテンツメタ情報を宣伝／販売等することが，さほど経費をかけず実現できる。
【０４５７】
一般ユーザ側にとって，従来における番組のタイトルと放送時刻の一覧表であった番組表ではなく，番組に関連するコンテンツ実体の情報や，番組に関する詳細情報など，情報量が充実した番組表の提供サービスを受けることができる。さらに，一般ユーザは，番組の再放送予定などの情報を容易に入手できなかったが、番組メタ情報を検索することで，容易に，過去から将来までの番組の放送予定などの情報を入手することが可能となる。
【０４５８】
最後に，企画会社１０５側は，放送局１０２やコンテンツ提供会社１０４と連携した新しいビジネスモデルを構築し、一般ユーザ１０１側に，全く新しい形態で，番組に関する情報を提供するネットワークシステムを提供できる。したがって，企画会社１０５は，放送局１０２，コンテンツ提供会社１０４から数多くの参入により，ポータルとしての一般ユーザ１０１の集客力を向上させることができる。
【０４５９】
以上，添付図面を参照しながら本発明の好適な実施形態について説明したが，本発明はかかる例に限定されない。当業者であれば，特許請求の範囲に記載された技術的思想の範疇内において各種の変更例または修正例を想定し得ることは明らかであり，それらについても当然に本発明の技術的範囲に属するものと了解される。
【０４６０】
上記実施形態においては，テレビ放送局１０２による番組の提供が行われる場合を例にあげて説明したが，本発明はかかる例に限定されない。例えば，ラジオ放送局によるラジオ番組の提供，映画配給会社による映画の提供，出版社による書籍の提供，またはレコード会社によるＣＤなどの音楽を提供する場合でも実施することができる。
【０４６１】
また，上記実施形態においては，番組メタ情報の登録は，番組登録端末装置１２９が行う場合を例に挙げて説明したが，かかる例に限定されない。例えば，番組確認端末装置１２１またはコンテンツ提供端末装置１１３が番組メタ情報を登録する場合であっても実施することができる。
【０４６２】
また，上記実施形態においては，番組メタ情報について番組表の構成の許可は，番組確認端末装置１２１が行う場合を例に挙げて説明したが，かかる例に限定されない。例えば，番組登録端末装置１２９によって許可する場合であっても実施することができる。
【０４６３】
また，上記実施形態においては，番組メタ情報は，番組登録端末装置１２９によって生成される場合を例に挙げて説明したが，かかる例に限定されない。例えば，サービス提供装置が番組情報に基づき，番組メタ情報を生成する場合であっても実施することができる。
【０４６４】
また，上記実施形態においては，コンテンツメタ情報は，コンテンツ提供端末装置によって生成される場合を例に挙げて説明したが，かかる例に限定されない。例えば，サービス提供装置がコンテンツ提供端末装置１１３から送信されるコンテンツの内容が含まれた情報に基づき，コンテンツメタ情報を生成する場合であっても実施することができる。
【０４６５】
上記実施形態においては，番組登録端末装置１２９，番組確認端末装置１２１，サービス提供装置１１１，およびコンテンツ提供端末装置１１３に備わる各部はハードウェアからなる場合を例にあげて説明したが，本発明はかかる例に限定されない。例えば，上記各部は，１又は２以上のモジュールまたはコンポーネントから構成されるプログラムの場合であってもよい。
【産業上の利用可能性】
【０４６６】
本発明は，ネットワークに接続された番組情報処理システムに適用可能である。
【図面の簡単な説明】
【０４６７】
【図１】本実施の形態にかかる番組情報処理システムの概略的な構成を示すブロック図である。
【図２】本実施の形態にかかる番組情報処理システムの運用の概略を説明するための説明図である。
【図３】本実施の形態にかかる利用者端末装置の表示部に表示されるサービス提供画面の概略を説明するための説明図である。
【図４】本実施の形態にかかる利用者端末装置の表示部に表示されるサービス提供画面の概略を説明するための説明図である。
【図５】本実施の形態にかかる利用者端末装置の表示部に表示されるサービス提供画面の概略を説明するための説明図である。
【図６】本実施の形態にかかる利用者端末装置の表示部に表示されるサービス提供画面の概略を説明するための説明図である。
【図７】本実施の形態にかかる番組登録端末装置の概略的な構成を示すブロック図である。
【図８】本実施の形態にかかる番組確認端末装置の概略的な構成を示すブロック図である。
【図９】本実施の形態にかかるコンテンツ提供端末装置の概略的な構成を示すブロック図である。
【図１０】本実施の形態にかかる利用者端末装置の概略的な構成を示すブロック図である。
【図１１】本実施の形態にかかるサービス提供装置の概略的な構成を示すブロック図である。
【図１２】本実施の形態にかかる番組メタ情報のデータ構造を示す説明図である。
【図１３】本実施の形態にかかるコンテンツメタ情報のデータ構造を示す説明図である。
【図１４】本実施の形態にかかるひも付けメタ情報のデータ構造を示す説明図である。
【図１５】本実施の形態にかかる番組メタ情報を登録する動作の概略を示すフローチャートである。
【図１６】本実施の形態にかかる番組メタ情報加工画面の概略的な構成を示す説明図である。
【図１７】本実施の形態にかかる番組情報処理システムに適用された詳細情報のコピー処理の概略を示すフローチャートである。
【図１８】図１７に示す放送日の追加処理の変形例の概略を示す説明図である。
【図１９】本実施の形態にかかる番組メタ情報の登録状況画面の概略を示す説明図である。
【図２０】図２０は，図１９に示す本実施の形態にかかる番組メタ情報の登録状況画面の変形例である。
【図２１】本実施の形態にかかるコンテンツ提供端末装置の関連付けの概略を示す説明図である。
【図２２】本実施の形態にかかるコンテンツ提供端末装置の表示部の表示画面の概略を示す説明図である。
【図２３】本実施の形態にかかる事前整備処理の動作の概略を示すフローチャートである。
【図２４】本実施の形態にかかる番組確認端末装置の表示部に表示されるサービス管理画面の概略を示す説明図である。
【図２５】本実施の形態にかかる番組確認端末装置の表示部に表示される表示画面の概略を示す説明図である。
【図２６】本実施の形態にかかるコンテンツ提供端末装置１１３の表示部に番組メタ情報を検索する動作の概略を示すフローチャートである。
【符号の説明】
【０４６８】
１００      番組情報処理システム
１０１      一般ユーザ
１０２      放送局
１０３      ネットワーク
１０４      コンテンツ提供会社
１０５      企画会社
１０７      利用者端末装置
１０９      放送局施設
１１１      サービス提供装置
１１３      コンテンツ提供端末装置
１２１      番組確認端末装置
１２９      番組登録端末装置
【図１】
2005167493.tif 000003
【図２】
2005167493.tif 000004
【図３】
2005167493.tif 000005
【図４】
2005167493.tif 000006
【図５】
2005167493.tif 000007
【図６】
2005167493.tif 000008
【図７】
2005167493.tif 000009
【図８】
2005167493.tif 000010
【図９】
2005167493.tif 000011
【図１０】
2005167493.tif 000012
【図１１】
2005167493.tif 000013
【図１２】
2005167493.tif 000014
【図１３】
2005167493.tif 000015
【図１４】
2005167493.tif 000016
【図１５】
2005167493.tif 000017
【図１６】
2005167493.tif 000018
【図１７】
2005167493.tif 000019
【図１８】
2005167493.tif 000020
【図１９】
2005167493.tif 000021
【図２０】
2005167493.tif 000022
【図２１】
2005167493.tif 000023
【図２２】
2005167493.tif 000024
【図２３】
2005167493.tif 000025
【図２４】
2005167493.tif 000026
【図２５】
2005167493.tif 000027
【図２６】
2005167493.tif 000028